(57)【要約】ｍｍＷ無線ローカルエリアネットワーク（ＷＬＡＮ）システムにおける多入力多出力（ＭＩＭＯ）モードの適応のためのシステム、方法、および手段が、開示される。第１の局（ＳＴＡ）は、モード変更要求を第２のＳＴＡから受信することができる。モード変更要求は、ＭＩＭＯモード、偏波モード、および／または直交周波数分割多元接続（ＯＦＤＭＡ）モードについてのモード変更を示すことができる。モード変更要求は、１つまたは複数のＳＴＡフィールドを含むことができる。１つまたは複数のＳＴＡフィールドは、第１のＳＴＡと関連付けられたＳＴＡフィールドを含むことができる。１つまたは複数のＳＴＡフィールドの各々は、ＭＩＭＯモードサブフィールド、偏波モードサブフィールド、および／またはＯＦＤＭＡモードサブフィールドを含むことができる。第１のＳＴＡは、例えば、モード変更要求に基づいて、ＭＩＭＯモード、偏波モード、および／またはＯＦＤＭＡモードを変更することができる。第１のＳＴＡは、モード変更応答を第２のＳＴＡに送信することができる。
2019527514.tif 000002
【特許請求の範囲】
【請求項１】
第１の局（ＳＴＡ）であって、
プロセッサであって、
１つまたは複数の送信ビーム、および多入力多出力（ＭＩＭＯ）モード、偏波モード、または直交周波数分割多元接続（ＯＦＤＭＡ）モードのうちの１つまたは複数を、前記第１のＳＴＡに示すモード測定セットアップフレームを、第２のＳＴＡから受信することと、
前記モード測定セットアップフレーム内において示された、前記ＭＩＭＯモード、前記偏波モード、または前記ＯＦＤＭＡモードのうちの１つまたは複数を有効にすることと、
トレーニング期間の間に、前記１つまたは複数の送信ビームを測定することと、
前記１つまたは複数の送信ビームと関連付けられた第１のトレーニングフィードバックを、前記第２のＳＴＡに送信することと、
前記ＭＩＭＯモード、前記偏波モード、または前記ＯＦＤＭＡモードのうちの１つまたは複数についてのモード変更を示すモード変更要求を、前記第２のＳＴＡから受信することと、
前記モード変更要求に基づいて、前記ＭＩＭＯモード、前記偏波モード、または前記ＯＦＤＭＡモードのうちの１つまたは複数を変更することと、
前記ＭＩＭＯモード、前記偏波モード、または前記ＯＦＤＭＡモードのうちの１つまたは複数に対する前記変更と関連付けられたモード変更応答を、前記第２のＳＴＡに送信することと
を行うように構成されたプロセッサ
を備えたことを特徴とする第１のＳＴＡ。
【請求項２】
前記トレーニング期間は、第１のトレーニング期間であり、前記モード変更要求は、前記モード変更と関連付けられた第２のトレーニング期間を開始するトレーニングインジケータを含むことを特徴とする請求項１に記載の第１のＳＴＡ。
【請求項３】
前記モード変更応答は、前記第２のトレーニング期間の間における前記１つまたは複数の送信ビームと関連付けられた第２のトレーニングフィードバックを含むことを特徴とする請求項２に記載の第１のＳＴＡ。
【請求項４】
前記プロセッサは、前記トレーニング期間の前に、ダミー信号を受信するように構成されることを特徴とする請求項１に記載の第１のＳＴＡ。
【請求項５】
前記モード変更要求は、１つまたは複数のＳＴＡフィールドを含み、前記１つまたは複数のＳＴＡフィールドは、前記第１のＳＴＡと関連付けられたＳＴＡフィールドを含み、前記１つまたは複数のＳＴＡフィールドの各々は、ＭＩＭＯモードサブフィールド、偏波モードサブフィールド、およびＯＦＤＭＡモードサブフィールドを含むことを特徴とする請求項１に記載の第１のＳＴＡ。
【請求項６】
前記モード変更は、ＭＩＭＯモード変更を含み、前記第１のＳＴＡと関連付けられた前記ＳＴＡフィールドの前記ＭＩＭＯモードサブフィールドは、
追加もしくは削除表示、
送信もしくは受信表示、
シングルユーザ（ＳＵ）ＭＩＭＯモードもしくはマルチユーザ（ＭＵ）ＭＩＭＯモード表示、または
最大ストリーム数表示
のうちの１つまたは複数を含むことを特徴とする請求項５に記載の第１のＳＴＡ。
【請求項７】
前記モード変更は、偏波モード変更を含み、前記第１のＳＴＡと関連付けられた前記ＳＴＡフィールドの前記偏波モードサブフィールドは、
追加もしくは削除表示、
送信もしくは受信表示、または
偏波タイプ表示
のうちの１つまたは複数を含むことを特徴とする請求項５に記載の第１のＳＴＡ。
【請求項８】
前記モード変更は、ＯＦＤＭＡモード変更を含み、前記第１のＳＴＡと関連付けられた前記ＳＴＡフィールドの前記ＯＦＤＭＡモードサブフィールドは、
追加もしくは削除表示、
送信もしくは受信表示、
後方互換性表示、または
帯域幅表示
のうちの１つまたは複数を含むことを特徴とする請求項５に記載の第１のＳＴＡ。
【請求項９】
前記モード変更応答は、成功ステータス、失敗ステータス、または前記モード変更と関連付けられた代替ステータスを示すことを特徴とする請求項１に記載の第１のＳＴＡ。
【請求項１０】
前記モード変更応答は、ＭＩＭＯモード応答フィールド、偏波モード応答フィールド、ＯＦＤＭＡモード応答フィールド、トレーニングフィードバックフィールド、または時間フィールドのうちの１つまたは複数を含むことを特徴とする請求項１に記載の第１のＳＴＡ。
【請求項１１】
第１のＳＴＡが、前記第１のＳＴＡ、１つまたは複数の送信ビーム、および多入力多出力（ＭＩＭＯ）モード、偏波モード、または直交周波数分割多元接続（ＯＦＤＭＡ）モードのうちの１つまたは複数を示すモード測定セットアップフレームを、第２のＳＴＡから受信するステップと、
前記第１のＳＴＡが、前記モード測定セットアップフレーム内において示された、前記ＭＩＭＯモード、前記偏波モード、または前記ＯＦＤＭＡモードのうちの１つまたは複数を有効にするステップと、
前記第１のＳＴＡが、トレーニング期間の間に、前記１つまたは複数の送信ビームを測定するステップと、
前記１つまたは複数の送信ビームと関連付けられた第１のトレーニングフィードバックを、前記第２のＳＴＡに送信するステップと、
前記ＭＩＭＯモード、前記偏波モード、または前記ＯＦＤＭＡモードのうちの１つまたは複数についてのモード変更を示すモード変更要求を、前記第２のＳＴＡから受信するステップと、
前記モード変更要求に基づいて、前記ＭＩＭＯモード、前記偏波モード、または前記ＯＦＤＭＡモードのうちの１つまたは複数を変更するステップと、
前記ＭＩＭＯモード、前記偏波モード、または前記ＯＦＤＭＡモードのうちの１つまたは複数に対する前記変更と関連付けられたモード変更応答を、前記第２のＳＴＡに送信するステップと
を含むことを特徴とする方法。
【請求項１２】
前記トレーニング期間は、第１のトレーニング期間であり、前記モード変更要求は、前記モード変更と関連付けられた第２のトレーニング期間を開始するトレーニングインジケータを含むことを特徴とする請求項１１に記載の方法。
【請求項１３】
前記モード変更応答は、前記第２のトレーニング期間の間における前記１つまたは複数の送信ビームと関連付けられた第２のトレーニングフィードバックを含むことを特徴とする請求項１２に記載の方法。
【請求項１４】
前記トレーニング期間の前に、ダミー信号を受信するステップをさらに含むことを特徴とする請求項１１に記載の方法。
【請求項１５】
前記モード変更要求は、１つまたは複数のＳＴＡフィールドを含み、前記１つまたは複数のＳＴＡフィールドは、前記第１のＳＴＡと関連付けられたＳＴＡフィールドを含み、前記１つまたは複数のＳＴＡフィールドの各々は、ＭＩＭＯモードサブフィールド、偏波モードサブフィールド、およびＯＦＤＭＡモードサブフィールドを含むことを特徴とする請求項１１に記載の方法。
【請求項１６】
前記モード変更は、ＭＩＭＯモード変更を含み、前記第１のＳＴＡと関連付けられた前記ＳＴＡフィールドの前記ＭＩＭＯモードサブフィールドは、
追加もしくは削除表示、
送信もしくは受信表示、
シングルユーザ（ＳＵ）ＭＩＭＯモードもしくはマルチユーザ（ＭＵ）ＭＩＭＯモード表示、または
最大ストリーム数表示
のうちの１つまたは複数を含むことを特徴とする請求項１５に記載の方法。
【請求項１７】
前記モード変更は、偏波モード変更を含み、前記第１のＳＴＡと関連付けられた前記ＳＴＡフィールドの前記偏波モードサブフィールドは、
追加もしくは削除表示、
送信もしくは受信表示、または
偏波タイプ表示
のうちの１つまたは複数を含むことを特徴とする請求項１５に記載の方法。
【請求項１８】
前記モード変更は、ＯＦＤＭＡモード変更を含み、前記第１のＳＴＡと関連付けられた前記ＳＴＡフィールドの前記ＯＦＤＭＡモードサブフィールドは、
追加もしくは削除表示、
送信もしくは受信表示、
後方互換性表示、または
帯域幅表示
のうちの１つまたは複数を含むことを特徴とする請求項１５に記載の方法。
【請求項１９】
前記モード変更応答は、成功ステータス、失敗ステータス、または前記モード変更と関連付けられた代替ステータスを示すことを特徴とする請求項１１に記載の方法。
【請求項２０】
前記モード変更応答は、ＭＩＭＯモード応答フィールド、偏波モード応答フィールド、ＯＦＤＭＡモード応答フィールド、トレーニングフィードバックフィールド、または時間フィールドのうちの１つまたは複数を含むことを特徴とする請求項１１に記載の方法。
【発明の詳細な説明】
【技術分野】
【０００１】
本発明は、ｍｍＷ  ＷＬＡＮシステムにおけるＭＩＭＯモードの適応に関する。
【背景技術】
【０００２】
相互参照
本出願は、２０１６年７月２１日に出願された米国特許仮出願第６２／３６５１１５号、２０１６年７月２７日に出願された米国特許仮出願第６２／３６７２９８号の利益を主張し、それらは、すべて、参照によって本明細書に組み込まれる。
【０００３】
無線ローカルエリアネットワーク（ＷＬＡＮ）は、インフラストラクチャ基本サービスセット（ＢＳＳ）モード、および独立ＢＳＳ（ＩＢＳＳ）モードなど、複数の動作モードを有することができる。インフラストラクチャＢＳＳモードにあるＷＬＡＮは、ＢＳＳのためのアクセスポイント（ＡＰ）を有することができる。１つまたは複数の無線送受信ユニット（ＷＴＲＵ）、例えば、局（ＳＴＡ）は、ＡＰと関連付けられることができる。ＡＰは、トラフィックをＢＳＳ内に搬送し、またＢＳＳ外に搬送する、ディストリビューションシステム（ＤＳ）または他のタイプの有線／無線ネットワークへのアクセスまたはインターフェースを有することができる。ＢＳＳ外部から発信されたＳＴＡへのトラフィックは、ＡＰを通って到着することができ、ＡＰは、そのトラフィックをＳＴＡに配送することができる。あるＷＬＡＮシステムにおいては、ＳＴＡ対ＳＴＡ通信が、行われることができる。あるＷＬＡＮシステムにおいては、ＡＰは、ＳＴＡの役割で動作することができる。ＷＬＡＮデバイスによって、ビームフォーミングが、使用されることができる。現在のビームフォーミング技法は、制限的なことがある。
【発明の概要】
【０００４】
ｍｍＷ  ＷＬＡＮシステムにおける多入力多出力（ＭＩＭＯ）モードの適応のためのシステム、方法、および手段が、開示される。第１の局（ＳＴＡ）は、モード測定セットアップフレームを第２のＳＴＡから受信することができる。モード測定セットアップフレームは、第１のＳＴＡ、１つまたは複数の送信ビーム、およびＭＩＭＯモード、偏波(polarization)モード、または直交周波数分割多元接続（ＯＦＤＭＡ）モードのうちの１つまたは複数を示すことができる。第１のＳＴＡは、モード測定セットアップフレーム内において示されたＭＩＭＯモード、偏波モード、および／またはＯＦＤＭＡモードを有効にすることができる。第１のＳＴＡは、第１のトレーニング期間の間に、１つまたは複数の送信ビームを測定することができる。第１のＳＴＡは、トレーニング期間の前に、ダミー信号を受信することができる。第１のＳＴＡは、１つまたは複数の送信ビームと関連付けられた第１のトレーニングフィードバックを、第２のＳＴＡに送信することができる。
【０００５】
第１のＳＴＡは、モード変更要求を第２のＳＴＡから受信することができる。モード変更要求は、ＭＩＭＯモード、偏波モード、および／またはＯＦＤＭＡモードについてのモード変更を示すことができる。モード変更要求は、１つまたは複数のＳＴＡフィールドを含むことができる。１つまたは複数のＳＴＡフィールドは、第１のＳＴＡと関連付けられたＳＴＡフィールドを含むことができる。１つまたは複数のＳＴＡフィールドの各々は、ＭＩＭＯモードサブフィールド、偏波モードサブフィールド、および／またはＯＦＤＭＡモードサブフィールドを含むことができる。モード変更要求は、トレーニングインジケータを含むことができる。トレーニングインジケータは、モード変更と関連付けられた第２のトレーニング期間を開始することができる。第１のＳＴＡは、例えば、モード変更要求に基づいて、ＭＩＭＯモード、偏波モード、および／またはＯＦＤＭＡモードを変更することができる。第１のＳＴＡは、モード変更応答を第２のＳＴＡに送信することができる。モード変更応答は、ＭＩＭＯモード、偏波モード、および／またはＯＦＤＭＡモードへの変更と関連付けられることができる。モード変更応答は、第２のトレーニングフィードバックを含むことができる。第２のトレーニングフィードバックは、第２のトレーニング期間の間の１つまたは複数の送信ビームと関連付けられることができる。モード変更応答は、モード変更と関連付けられた成功ステータス、失敗ステータス、または代替ステータスを示すことができる。モード変更応答は、ＭＩＭＯモード応答フィールド、偏波モード応答フィールド、ＯＦＤＭＡモード応答フィールド、トレーニングフィードバックフィールド、および／または時間フィールドを含むことができる。
【０００６】
モード変更が、ＭＩＭＯモード変更を含むとき、第１のＳＴＡと関連付けられたＳＴＡフィールドのＭＩＭＯモードサブフィールドは、追加もしくは削除表示、送信もしくは受信表示、シングルユーザ（ＳＵ）ＭＩＭＯもしくはマルチユーザ（ＭＵ）ＭＩＭＯモード表示、および／または最大ストリーム数表示を含むことができる。モード変更が、偏波モード変更を含むとき、第１のＳＴＡと関連付けられたＳＴＡフィールドの偏波モードサブフィールドは、追加もしくは削除表示、送信もしくは受信表示、および／または偏波タイプ表示を含むことができる。モード変更が、ＯＦＤＭＡモード変更を含むとき、第１のＳＴＡと関連付けられたＳＴＡフィールドのＯＦＤＭＡモードサブフィールドは、追加もしくは削除表示、送信もしくは受信表示、後方互換性表示、および／または帯域幅表示を含むことができる。
【図面の簡単な説明】
【０００７】
【図１】例示的な８０２．１１ａｄ  ＰＨＹパケット構造を示す図である。
【図２】例示的なプリアンブル構造を示す図である。
【図３】例示的なセクタレベルスイープ（ＳＬＳ）トレーニングを示す図である。
【図４】例示的なセクタスイープ（ＳＳＷ）フレームフォーマットを示す図である。
【図５】ＳＳＷフレーム内の例示的なＳＳＷフィールドを示す図である。
【図６】ＩＳＳの部分として送信されないときの、ＳＳＷフレーム内の例示的なＳＳＷフィードバックフィールドを示す図である。
【図７】イニシエータセクタスイープ（ＩＳＳ）の部分として送信されるときの、ＳＳＷフレーム内の例示的なＳＳＷフィードバックフィールドを示す図である。
【図８】ビーム精緻化プロトコル(beam refinement protocol)（ＢＲＰ）およびトレーニング（ＴＲＮ）フィールドを搬送する、例示的な物理レイヤ収束手順（ＰＬＣＰ）プロトコルデータユニット（ＰＰＤＵ）を示す図である。
【図９】例示的な指向性マルチギガビット(directional multi gigabit)（ＤＭＧ）ＰＰＤＵフォーマットを示す図である。
【図１０】例示的なエンハンスドＤＭＧ（ＥＤＭＧ）ＰＰＤＵフォーマットを示す図である。
【図１１】例示的なＭＩＭＯセットアップフレームを示す図である。
【図１２Ａ】送信可（ＣＴＳ）フレームアイドル帯域幅表示の例示的なシグナリングを示す図である。
【図１２Ｂ】送信可（ＣＴＳ）フレームアイドル帯域幅表示の例示的なシグナリングを示す図である。
【図１３】複数のダウンリンク（ＤＬ）ＳＴＡからのデータの例示的な集約を示す図である。
【図１４】例示的な偏波支援アナログビームフォーミングトレーニングを示す図である。
【図１５Ａ】既存のＢＲＰの一部としての例示的な偏波精緻化プロトコル（ＰＲＰ）を示すフローチャートである。
【図１５Ｂ】既存のＢＲＰの後の例示的なＰＲＰを示すフローチャートである。
【図１６】オープンループマルチプルデータストリーム送信のための例示的な空間マッピングを示す図である。
【図１７】偏波を用いる例示的なオープンループベースバンドＭＩＭＯ送信を示す図である。
【図１８】偏波毎のアンテナ選択を用いる例示的なデータストリームＭＩＭＯ送信を示す図である。
【図１９】偏波を用いる例示的なオープンループベースバンド３データストリームＭＩＭＯ送信を示す図である。
【図２０】アンテナ選択を用いる例示的なオープンループベースバンド３データストリームＭＩＭＯ送信を示す図である。
【図２１】すべての電力増幅器（ＰＡ）がすべての重みによって作動させられる、例示的なアナログアーキテクチャを示す図である。
【図２２】異なるＰＡが別々の重みによって作動させられる、例示的なアナログアーキテクチャを示す図である。
【図２３】推定される３つのビームペアを有する例示的な送信（Ｔｘ）−受信（ＲＸ）ペアを示す図である。
【図２４】例示的な順次測定を示す図である。
【図２５】例示的な並列測定を示す図である。
【図２６】例示的な順次および並列測定を示す図である。
【図２７】例示的なビームペア当たりのフィードバックを示す図である。
【図２８】例示的なスタンドアロン順次測定フレームを示す図である。
【図２９】準無指向性（ＱＯ）送信を用いる例示的なＴｘ−ＲＸペアを示す図である。
【図３０】ＳＴＡ固有のペナルティ較正(penalty calibration)のための例示的なフレームを示す図である。
【図３１】ビームスイープペナルティ較正のための例示的なフレームを示す図である。
【図３２】ＱＯ受信を用いる例示的なＴｘ−ＲＸペアを示す図である。
【図３３】すべてのＰＡがすべての重みによって作動させられる、例示的なハイブリッドアーキテクチャを示す図である。
【図３４】異なるＰＡが別々の重みによって作動させられる、例示的なハイブリッドアーキテクチャを示す図である。
【図３５】例示的なＴｘ−ＲＸモード変更要求フレームを示す図である。
【図３６】例示的なＴｘ−ＲＸモード変更応答フレームを示す図である。
【図３７Ａ】例示的な無線ローカルエリアネットワーク（ＷＬＡＮ）デバイスを示す図である。
【図３７Ｂ】１つまたは複数の開示される特徴が実行されることができる例示的な通信システムを示す図である。
【図３７Ｃ】例示的な無線送受信ユニットＷＴＲＵを示す図である。
【発明を実施するための形態】
【０００８】
説明的な実施形態についての詳細な説明が、様々な図を参照して、今から行われる。この説明は、可能な実行の詳細な例を提供するが、詳細は、例示的であることが意図されており、決して本出願の範囲を限定するものではないことに留意されたい。
【０００９】
無線ローカルエリアネットワーク（ＷＬＡＮ）は、インフラストラクチャ基本サービスセット（ＢＳＳ）モード、および独立ＢＳＳ（ＩＢＳＳ）モードなど、複数の動作モードを有することができる。ＢＳＳモードにあるＷＬＡＮは、ＢＳＳのためのアクセスポイント（ＡＰ／ＰＣＰ）を有することができる。１つまたは複数の局（ＳＴＡ）は、ＡＰ／ＰＣＰと関連付けられることができる。ＡＰ／ＰＣＰは、トラフィックをＢＳＳ内に搬送し、またＢＳＳ外に搬送する、ディストリビューションシステム（ＤＳ）または別のタイプの有線／無線ネットワークへのアクセスまたはインターフェースを有することができる。ＢＳＳ外部から発信されたＳＴＡへのトラフィックは、ＡＰ／ＰＣＰを通って到着することができ、ＡＰ／ＰＣＰは、そのトラフィックをＳＴＡに配送することができる。ＳＴＡからＢＳＳ外部の送信先に発信されたトラフィックは、ＡＰ／ＰＣＰに送信されることができ、ＡＰ／ＰＣＰは、そのトラフィックをそれぞれの送信先に配送することができる。ＢＳＳ内のＳＴＡ間のトラフィックは、ＡＰ／ＰＣＰを通って送信されることができ、例えば、発信元ＳＴＡからＡＰ／ＰＣＰに送信され、ＡＰ／ＰＣＰから送信先ＳＴＡに送信されることができる。ＢＳＳ内のＳＴＡ間のトラフィックは、ピアツーピアトラフィックであることができる。ピアツーピアトラフィックは、例えば、８０２．１１ｅ直接リンクセットアップ（ＤＬＳ）または８０２．１１ｚトンネルＤＬＳ（ＴＤＬＳ）を使用するＤＬＳを用いて、発信元ＳＴＡと送信先ＳＴＡとの間で直接的に送信されることができる。ＩＢＳＳモードにあるＷＬＡＮは、ＡＰ／ＰＣＰを有さなくてよく、および／またはＳＴＡは、互いに直接的に通信することができる。ＩＢＳＳモードの通信は、「アドホック」モードの通信と呼ばれることがある。
【００１０】
ＡＰ／ＰＣＰは、例えば、８０２．１１ａｃインフラストラクチャ動作モードにおいては、固定されたチャネル（例えば、プライマリチャネル）上において、ビーコンを送信することができる。チャネルは、例えば、２０ＭＨｚ幅であることができる。チャネルは、ＢＳＳの動作チャネルであることができる。チャネルは、例えば、ＡＰ／ＰＣＰとの接続を確立するために、ＳＴＡによって使用されることができる。８０２．１１システムにおけるチャネルアクセスメカニズムは、キャリアセンス多重アクセス／衝突回避（ＣＳＭＡ／ＣＡ）である。ＡＰ／ＰＣＰを含むＳＴＡは、例えば、ＣＳＭＡ／ＣＡ動作モードにおいては、プライマリチャネルをセンスすることができる。与えられたＢＳＳ内においては、一度に、ただ１つのＳＴＡが、送信することができるように、例えば、チャネルがビジーであると検出されたときは、ＳＴＡは、バックオフすることができる。
【００１１】
高スループット（ＨＴ）ＳＴＡは、例えば、８０２．１１ｎにおいては、通信のために、例えば、４０ＭＨｚ幅チャネルを使用することができる。プライマリ２０ＭＨｚチャネルは、隣接する２０ＭＨｚチャネルと組み合わされて、４０ＭＨｚ幅の連続するチャネルを形成することができる。
【００１２】
超高スループット（ＶＨＴ）ＳＴＡは、例えば、８０２．１１ａｃにおいては、例えば、２０ＭＨｚ、４０ＭＨｚ、８０ＭＨｚ、および１６０ＭＨｚ幅チャネルをサポートすることができる。４０ＭＨｚおよび８０ＭＨｚチャネルは、例えば、連続する２０ＭＨｚチャネルを組み合わせることによって、形成されることができる。１６０ＭＨｚチャネルは、例えば、８つの連続する２０ＭＨｚチャネルを合成することによって、形成されることができ、または２つの非連続な８０ＭＨｚチャネルを合成することによって、形成されることができ、これは、８０＋８０構成と呼ばれることがある。８０＋８０構成は、例えば、チャネルエンコーディングの後、データを２つのストリームに分割する、セグメントパーサを通過させられることができる。例えば、各ストリームに対して別々に、ＩＦＦＴおよび時間領域処理が、実行されることができる。ストリームは、２つのチャネル上にマッピングされることができる。データは、２つのチャネル上において送信されることができる。受信機は、送信機メカニズムを逆転することができる。受信機は、複数のチャネル上において送信されたデータを再合成することができる。再合成されたデータは、媒体アクセス制御（ＭＡＣ）に送信されることができる。
【００１３】
１ＧＨｚ未満（例えば、ＭＨｚ）動作モードは、例えば、８０２．１１ａｆ、８０２．１１ａｈによって、サポートされることができる。チャネル動作帯域幅およびキャリアは、例えば、８０２．１１ｎおよび８０２．１１ａｃにおいて使用される帯域幅およびキャリアに比べて、低減させることができる。８０２．１１ａｆは、ＴＶホワイトスペース（ＴＶＷＳ）スペクトルにおいて、５ＭＨｚ、１０ＭＨｚ、および２０ＭＨｚ帯域幅をサポートすることができる。８０２．１１ａｈは、非ＴＶＷＳスペクトルにおいて、１ＭＨｚ、２ＭＨｚ、４ＭＨｚ、８ＭＨｚ、および１６ＭＨｚ帯域幅をサポートすることができる。８０２．１１ａｈの使用事例の例は、マクロカバレージエリアにおけるメータタイプ制御（ＭＴＣ）デバイスのサポートとすることができる。ＭＴＣデバイスは、限られた能力（例えば、限られた帯域幅）しか有さないことができ、非常に長いバッテリ寿命を有するように設計されることができる。
【００１４】
ＷＬＡＮシステム（例えば、８０２．１１ｎ、８０２．１１ａｃ、８０２．１１ａｆ、および８０２．１１ａｈシステム）は、プライマリチャネルとして指定されるチャネルなど、複数のチャネルおよびチャネル幅をサポートすることができる。プライマリチャネルは、例えば、ＢＳＳ内のＳＴＡによってサポートされる最大の共通動作帯域幅に等しい、帯域幅を有することができる。プライマリチャネルの帯域幅は、最小帯域幅動作モードをサポートするＳＴＡによって制限されることができる。８０２．１１ａｈの例においては、例えば、１ＭＨｚモードをサポートする１つまたは複数のＳＴＡ（例えば、ＭＴＣタイプデバイス）が、存在する一方で、ＡＰ／ＰＣＰおよび他のＳＴＡが、２ＭＨｚ、４ＭＨｚ、８ＭＨｚ、１６ＭＨｚ、または他のチャネル帯域幅動作モードをサポートすることができる場合、プライマリチャネルは、１ＭＨｚ幅であることができる。キャリアセンシングおよびＮＡＶ設定は、プライマリチャネルのステータスに依存することができる。例として、例えば、１ＭＨｚ動作モードをサポートするＳＴＡが、プライマリチャネル上においてＡＰ／ＰＣＰに送信しているせいで、プライマリチャネルが、ビジーステータスを有するときは、すべての利用可能な周波数バンドが、ビジーと見なされ、利用可能であるにもかかわらずアイドルに留まることがある。
【００１５】
利用可能な周波数バンドは、異なる地域間で様々であることができる。例として、米国においては、８０２．１１ａｈによって使用される利用可能な周波数バンドは、９０２ＭＨｚから９２８ＭＨｚであることができる。別の例として、韓国においては、利用可能な周波数バンドは、９１７．５ＭＨｚから９２３．５ＭＨｚであることができる。別の例として、日本においては、利用可能な周波数バンドは、９１６．５ＭＨｚから９２７．５ＭＨｚであることができる。８０２．１１ａｈのために利用可能な合計帯域幅は、国の規則に応じて、６ＭＨｚから２６ＭＨｚであることができる。
【００１６】
８０２．１１ａｃは、同じシンボルの時間フレームにおいて、例えば、ダウンリンクＯＦＤＭシンボルの間に、複数のＳＴＡへのダウンリンクマルチユーザＭＩＭＯ（ＭＵ−ＭＩＭＯ）送信をサポートすることができる。ＭＵ−ＭＩＭＯ送信は、スペクトル効率を改善することができる。８０２．１１ａｈは、ダウンリンクＭＵ−ＭＩＭＯをサポートすることができる。ダウンリンクＭＵ−ＭＩＭＯは、複数のＳＴＡに対して同じシンボルタイミングを使用することができ、複数のＳＴＡへの波形送信は、互いに干渉しないことができる。ＡＰ／ＰＣＰとＭＵ−ＭＩＭＯ送信を行う１つまたは複数のＳＴＡは、同じチャネルまたはバンドを使用することができ、それは、動作帯域幅を、ＡＰ／ＰＣＰとＭＵ−ＭＩＭＯ送信を行う１つまたは複数のＳＴＡによってサポートされる最小チャネル帯域幅に制限することがある。
【００１７】
８０２．１１ａｄは、６０ＧＨｚバンドにおける超高スループット（ＶＨＴ）のためのＭＡＣおよびＰＨＹレイヤの仕様を定めた、ＷＬＡＮ規格に対する修正である。８０２．１１ａｄは、最大７Ｇｂｉｔ／ｓのデータレートをサポートすることができる。８０２．１１ａｄは、３つの異なる変調モードをサポートすることができる。８０２．１１ａｄは、シングルキャリアおよび拡散スペクトルを用いるＰＨＹの制御をサポートすることができる。８０２．１１ａｄは、シングルキャリアＰＨＹをサポートすることができる。８０２．１１ａｄは、ＯＦＤＭ  ＰＨＹをサポートすることができる。８０２．１１ａｄは、世界的に利用可能であることができる、６０ＧＨｚのライセンスされていないバンドを使用することができる。６０ＧＨｚにおいては、波長は、５ｍｍであることができ、それは、コンパクトで競争力のあるアンテナまたはアンテナアレイを可能にすることができる。コンパクトで競争力のあるアンテナは、送信機および受信機の両方において、狭いＲＦビームを生成することができ、それは、効果的に、カバレージ範囲を増加させ、および／または干渉を低減させることができる。
【００１８】
図１は、例示的な８０２．１１ａｄ  ＰＨＹパケット構造を示している。８０２．１１ａｄ（例えば、８０２．１１ａｄ−２０１２）ＤＭＧ  ＰＨＹは、例えば、制御ＰＨＹ、シングルキャリアＰＨＹ、低電力シングルキャリアＰＨＹ、およびＯＦＤＭ  ＰＨＹなど、１つまたは複数のＰＨＹパケット（例えば、フレーム）構造をサポートすることができる。
【００１９】
図２は、例示的なプリアンブル構造を示している。８０２．１１ａｄ  ＰＨＹパケット構造は、同じプリアンブル構造を共有することができる。プリアンブルは、ショートトレーニングフィールド（ＳＴＦ）、および／またはチャネル推定フィールド（ＣＥＦ）を含むことができる。ＣＥＦは、ＣＥと表されることがある。ＳＴＦおよびＣＥＦは、例えば、図２に示されるように、π／２  （Ｄ）ＢＰＳＫ変調された反復するゴレイ系列(Golay sequence)から構築されることができる。
【００２０】
８０２．１１ａｄのフレーム構造は、ビームフォーミングトレーニング（例えば、発見および追跡）を容易にすることができる。ビームフォーミング（ＢＦ）トレーニングプロトコルは、２つ以上の構成要素、すなわち、セクタレベルスイープ、および／またはビーム精緻化プロトコル（ＢＲＰ）などを含むことができる。ＳＬＳは、送信ビームフォーミングトレーニングのために使用されることができる。ＢＲＰは、受信ビームフォーミングトレーニング、ならびに／または送信および受信ビーム両方の反復的な精緻化を可能にすることができる。
【００２１】
ＳＵ−ＭＩＭＯおよびＭＵ−ＭＩＭＯ両方を含むＭＩＭＯ送信は、８０２．１１ａｄによってサポートされないことがある。
【００２２】
図３は、例示的なセクタレベルスイープ（ＳＬＳ）トレーニングである。ＳＬＳトレーニングは、ビーコンフレームおよび／またはセクタスイープ（ＳＳＷ）フレームを使用して、実行されることができる。ビーコンフレームが、利用されるとき、アクセスポイント（ＡＰ）／プライオリティコードポイント（ＰＣＰ）は、各ビーコンインターバル（ＢＩ）内において、複数のビーム／セクタを用いて、ビーコンフレームを繰り返すことができ、複数のＳＴＡは、ＢＦトレーニングを同時に実行することができる。ＡＰ／ＰＣＰは、例えば、ビーコンフレームのサイズのせいで、１つのＢＩ内において、すべてのセクタ／ビームをスイープしないことがある。ＳＴＡは、イニシエータセクタスイープ（ＩＳＳ）トレーニングを完了するために、複数のＢＩを待つ必要があることがあり、待ち時間が、問題になることがある。ＳＳＷフレームは、ポイントツーポイントＢＦトレーニングのために利用されることができる。ＳＳＷフレームは、制御ＰＨＹを使用して、送信されることができる。
【００２３】
図４は、例示的なＳＳＷフレームフォーマットである。例示的なＳＳＷフレームフォーマットは、フレーム制御フィールド、持続時間フィールド、ＲＡフィールド、ＴＡフィールド、ＳＳＷフィールド、ＳＳＷフィードバックフィールド、またはＦＣＳフィールドのうちの１つまたは複数を含むことができる。
【００２４】
図５は、ＳＳＷフレーム内の例示的なＳＳＷフィールドである。例示的なＳＳＷフィールドは、方向サブフィールド、ＣＤＯＷＮサブフィールド、セクタＩＤサブフィールド、ＤＭＧアンテナＩＤサブフィールド、またはＲＸＳＳ長サブフィールドのうちの１つまたは複数を含むことができる。
【００２５】
図６は、ＩＳＳの一部として送信されるときの、ＳＳＷフレーム内の例示的なＳＳＷフィードバックフィールドである。例示的なＳＳＷフィードバックフィールドは、ＩＳＳにおける総セクタサブフィールド、ＲＸ  ＤＭＧアンテナ数サブフィールド、第１の予約サブフィールド、ポーリング必要サブフィールド、または第２の予約サブフィールドのうちの１つまたは複数を含むことができる。
【００２６】
図７は、ＩＳＳの一部として送信されないときの、ＳＳＷフレーム内の例示的なＳＳＷフィードバックフィールドである。例示的なＳＳＷフィードバックフィールドは、セクタ選択サブフィールド、ＤＭＧアンテナ選択サブフィールド、ＳＮＲレポートサブフィールド、ポーリング必要サブフィールド、または予約サブフィールドのうちの１つまたは複数を含むことができる。
【００２７】
ビーム精緻化は、ＳＴＡが、送信および／または受信のためのアンテナ構成（または、例えば、アンテナ重みベクトル）を改善することを可能にすることができる。ビーム精緻化は、１つまたは複数のビーム精緻化プロトコル（ＢＲＰ）パケットを使用して、受信機および／または送信機アンテナをトレーニングすることを含むことができる。２つのタイプのＢＲＰパケット、すなわち、ＢＲＰ−ＲＸパケットおよびＢＲＰ−ＴＸパケットが、存在することができる。
【００２８】
図８は、ＢＲＰフレーム８０２、および１つまたは複数のＢＲＰトレーニング（ＴＲＮ）フィールド８０４を搬送する、例示的な物理レイヤ収束手順（ＰＬＣＰ）プロトコルデータユニット（ＰＰＤＵ）８００である。例示的なＰＬＣＰ  ＰＰＤＵ８００は、ＰＬＣＰヘッダ８０６、および／または１つもしくは複数のＡＧＣフィールド８０８を含むことができる。ＢＲＰパケット８０２は、例えば、指向性マルチギガビット（ＤＭＧ）ＰＰＤＵによって搬送されることができ、ＡＧＣフィールド８０８を含むトレーニングフィールドによって後続されることができる。ＤＭＧ  ＰＰＤＵによって搬送されるＢＲＰパケット８０２は、例えば、図８に示されるように、送信機または受信機トレーニングフィールドによって後続されることができる。
【００２９】
図８に示されるように、Ｎの値は、ＰＬＣＰヘッダ８０６内において与えられる、トレーニング長とすることができる。トレーニング長は、自動利得制御（ＡＧＣ）８０８が、４Ｎのサブフィールドを有し、ＴＲＮ−Ｒ／Ｔ（例えば、ＢＲＰトレーニング）フィールド８０４が、５Ｎのサブフィールドを有することを示すことができる。チャネル推定（ＣＥ）サブフィールド８１０は、例えば、図２に示されるように、プリアンブル内のＣＥＦと同じであることができる。ビームトレーニングフィールド内のサブフィールドは、回転されたπ／２−ＢＰＳＫ変調を使用して、送信されることができる。
【００３０】
ＢＲＰ  ＭＡＣフレームは、以下のフィールド、すなわち、カテゴリ、保護されていないＤＭＧアクション、ダイアログトークン、ＢＲＰ要求フィールド、ＤＭＧビーム精緻化要素、またはチャネル測定フィードバック要素１．．．チャネル測定フィードバック要素ｋのうちの１つまたは複数を含む、ＡＣＫなしアクションフレームであることができる。
【００３１】
８０２．１１ａｄは、シングルキャリア（ＳＣ）ＰＨＹ、ＯＦＤＭ  ＰＨＹ、制御ＰＨＹ、および低電力ＳＣ  ＰＨＹを含む、４つのＰＨＹをサポートすることができる。ＰＨＹは、同じパケット構造を共有することができるが、各フィールドの詳細な設計は、異なることができる。
【００３２】
図９は、例示的なＤＭＧ  ＰＰＤＵ９００である。例示的なＤＭＧ  ＰＰＤＵ９００は、ショートトレーニングフィールド９０２、チャネル推定フィールド９０４、ヘッダ９０６、データフィールド９０８、または１つもしくは複数のＴＲＮ−Ｒ／Ｔサブフィールド９１０のうちの１つまたは複数を含むことができる。
【００３３】
タスクグループａｙ（ＴＧａｙ）は、（例えば、ＭＡＣデータサービスアクセスポイントにおいて測定された）少なくとも２０ギガビット毎秒の最大スループットをサポートする一方で、局当たりの電力効率を維持または改善することを可能にする少なくとも１つの動作モードを可能にする、ＩＥＥＥ８０２．１１物理レイヤ（ＰＨＹ）、および／またはＩＥＥＥ８０２．１１媒体アクセス制御レイヤ（ＭＡＣ）に対する変更を導入することができる。ＴＧａｙは、４５ＧＨｚよりも上のライセンス免除バンド上における動作のサポートを、同じバンド内において動作する（例えば、ＩＥＥＥ８０２．１１ａｄ−２０１２修正によって定義されたような）レガシ指向性マルチギガビット局との後方互換性および共存を保証しながら、導入することができる。８０２．１１ａｙは、モビリティおよび／または屋外サポートを含むことができる。
【００３４】
８０２．１１ａｙは、レガシ規格と同じバンド内において動作することができ、同じバンド内におけるレガシとの後方互換性および共存のサポートを含むことができる。８０２．１１ａｙは、ＭＩＭＯおよびチャネルボンディングを含むことができる。ＭＩＭＯ送信をサポートするために、複数のフェーズドアンテナアレイ（ＰＡＡ）、または複数の偏波を用いるＰＡＡが、８０２．１１ａｙ互換デバイスにおいて、実行されることができる。
【００３５】
エンハンスドＤＭＧ（ＥＤＭＧ）機能要素は、ＥＤＭＧ  ＳＴＡのアンテナ偏波機能を含むことができる。
【００３６】
ＥＤＭＧ  ＳＴＡは、ＳＵまたはＭＵ  ＭＩＭＯ  ＰＰＤＵの送信の前に、ＭＩＭＯセットアップフレーム（例えば、ＲＴＳまたはＤＭＧ  ＣＴＳ−ｔｏ−ｓｅｌｆ）を送信することができる。ＭＩＭＯセットアップフレームは、ＰＰＤＵによってアドレス指定された１つまたは複数の送信先ＳＴＡを示すことができる。
【００３７】
ＭＩＭＯセットアップフレーム（例えば、ＲＴＳ）送信は、１つまたは複数の送信先ＳＴＡからの応答（例えば、ＤＭＧ  ＣＴＳまたはＡＣＫ）をトリガすることができる。
【００３８】
図１０は、例示的なＥＤＭＧ  ＰＰＤＵ１０００である。例示的なＥＤＭＧ  ＰＰＤＵ１０００は、Ｌ−ＳＴＦフィールド１００２、Ｌ−ＣＥＦフィールド１００４、Ｌ−Ｈｅａｄｅｒ１００６、ＥＤＭＧ−Ｈｅａｄｅｒ−Ａ１００８、ＥＤＭＧ−ＳＴＦフィールド１０１０、ＥＤＭＧ−ＣＥＦフィールド１０１２、ＥＤＭＧ−Ｈｅａｄｅｒ−Ｂ１０１４、データフィールド１０１６、ＡＧＣフィールド１０１８、またはＴＲＮフィールド１０２０のうちの１つまたは複数を含むことができる。
【００３９】
ＭＩＭＯ送信のために、複数の偏波およびＰＡＡが、ＥＤＭＧデバイスによってサポートされることができる。ＥＤＭＧシステムにおいては、偏波機能が、伝達されることができる。
【００４０】
偏波およびアンテナ設定は、実行と見なされてよく、仕様において明示的に示されなくてよい。動的または半静的な環境、およびＴｘ−Ｒｘペアの恣意的な相対位置／向きにおいてｍｍＷ送信を用いる場合、偏波およびアンテナ設定の知識は、アナログ／デジタルビームフォーミングトレーニングオーバヘッドを低減させ、および／またはスペクトル効率を増加させる助けとなることができる。
【００４１】
偏波およびＰＡＡ選択は、（例えば、他のクローズドループＭＩＭＯ方式と比較して）電力効率を増加させ、および／またはフィードバックオーバヘッドを低減させるために、利用されることができる。送信機および／または受信機サイドにおいて、ＲＦフロントエンドの数が、制限されることがある。ｍｍＷシステムのために、偏波およびＰＡＡ選択トレーニングが、実行されることができる。
【００４２】
（例えば、送信機および受信機は、互いに対して、正しい偏波および／またはアンテナパターンを準備する必要があることがあるので）偏波を用いる送信が、伝達されることができる。
【００４３】
ＭＩＭＯ送信を用いる場合、サポートされることができるデータストリームの数は、チャネルに依存することができる。ＭＩＭＯ機能を与えられると、情報を搬送するためのＭＩＭＯモード（例えば、方式）が、選択されることができる。例えば、ＭＩＭＯ送信を準備するために、送信機および受信機サイドにおいて、アナログビームが、設定されることができるので、ＭＩＭＯモード選択および送信は、明示的に伝達されることができる。
【００４４】
図１１は、例示的なＭＩＭＯセットアップフレーム１１００である。ＭＩＭＯセットアップフレーム１１００は、ＳＴＡが、ランデブーポイント１１０２において開始するプライマリチャネルよりも広い帯域幅上における送信を開始することができるように、事前にランデブーポイント１１０２をセットアップするために、ＡＰによって使用されることができる。ＳＴＡは、例えば、ＭＩＭＯセットアップフレーム１１００の受信に応答して、ＭＩＭＯセットアップ１１０４を開始することができる。
【００４５】
図１２は、送信可（ＣＴＳ）フレームアイドル帯域幅表示の例示的なシグナリングである。プライマリチャネルが、ビジーでない場合、ＣＴＳフレームトレーラ内において伝達されるアイドル帯域幅表示を有する１つまたは複数のＣＴＳフレームが、送信されることができる。ＣＴＳフレームは、後続するデータ送信が続くために、ＲＴＳ送信側において、プライマリチャネルにおいて受信される必要があることがある。
【００４６】
送信要求（ＲＴＳ）受信機は、複数のチャネルを監視するための表示を（例えば、事前に）受信することができる。ＲＴＳ受信機は、ランデブーポイントの後で、セカンダリチャネル上において、ＲＴＳフレームを受信することができる。ＲＴＳ受信機が、ランデブーポイントの後で、セカンダリチャネル上において、ＲＴＳフレームを受信したとき、ＣＴＳは、返信されないことがあり、データ送信は、発生しないことがある。
【００４７】
ＡＰは、異なるチャネル上における複数のＤＬ  ＳＴＡからのデータを集約することができる。図１３は、複数のＤＬ  ＳＴＡからのデータの例示的な集約１３００である。ＳＴＡ＃１は、ＳＴＡ  ＡＰであることができる。ＳＴＡ＃１は、バックホールに接続されることができる。ＳＴＡ＃１は、ＳＴＡ＃２およびＳＴＡ＃３に送信するために、集約データを送信することができる。例えば、ＳＴＡ＃１は、データをＳＴＡ＃２およびＳＴＡ＃３に同時に送信することができる。
【００４８】
プライマリチャネル空きチャネル判定(clear channel assessment)（ＣＣＡ）は、ＲＴＳ受信機においてはビジーであることがあるが、ＲＴＳ送信機（例えば、ＡＰ／ＰＣＰ）においてはビジーでないことがある。データは、セカンダリチャネル上において、ＳＴＡに送信されることができ、例えば、ＲＴＳ受信機は、図１３に示されるように、ＳＴＡ＃３であることができる。
【００４９】
プライマリチャネルが、ＡＰサイドにおいて、アイドルのままである場合、１つまたは複数のＳＴＡは、セカンダリチャネル上において、ＡＰがＲＴＳ受信機（例えば、ＳＴＡ＃３）に送信している時間の間に、ＡＰへの送信を開始することができる。ＡＰは、プライマリチャネル上において、送信を受信しないことがある。
【００５０】
ＳＴＡは、例えば、ＡＰが、セカンダリチャネル上において、ＲＴＳ受信機（例えば、ＳＴＡ＃３）に送信している時間の間に、プライマリチャネル上において、別の（例えば、ＡＰ以外の）ＳＴＡへの送信を開始することができる。ＡＰは、プライマリチャネル上において、受信しないことがあり、（例えば、セカンダリチャネル上における送信が終了した後）プライマリチャネル上における送信機会（ＴＸＯＰ）設定を尊重することができる。
【００５１】
偏波および／またはＰＡＡ選択が、実行されることができる。偏波は、より小さい空間領域相関をＭＩＭＯチャネルに提供することができる。偏波は、明示的に伝達されないことがある。アンテナポートの数が、ＲＦフロントエンドの数よりも多い（例えば、著しく多い）とき、偏波情報は、アンテナポートをグループ化し、および／またはＭＩＭＯ／ＢＦトレーニングを簡略化するために、使用されることができる。
【００５２】
偏波支援アナログビームフォーミングトレーニングが、実行されることができる。例えば、偏波情報、および／または限られたチャネル情報フィードバックの助けがある場合、Ｔｘ／Ｒｘビームペアリングを用いるアナログビームトレーニングが、実行されることができる。限られたチャネル情報フィードバックは、相互ビーム測定フィードバックを含むことができる。偏波情報は、アナログビームトレーニングのために必要とされる測定を減らすことができる。例えば、送信機および受信機サイドにおいて、２つの偏波が、サポートされることができ、各偏波は、Ｎ個のビームを有することができる。最適なビーム選択は、すべての組み合わせを調べることを含むことができる。最適なビーム選択は、（２Ｎ）×（２Ｎ）の測定を必要とすることがある。同時受信トレーニングが、適用されるとき、受信機は、同時に受信する２つのビームを形成することができ、ビーム選択のために必要とされる測定の数は、（２Ｎ）×Ｎに減らされることができる。偏波情報が、（例えば、アナログビームフォーミングトレーニングの前に）交換される場合、ビーム選択のために必要とされる測定の数は、２Ｎ以下に減らされることができる。測定の減少は、偏波されたアンテナによって提供される良好な直交性および／またはビーム分離に基づくことができる。例においては、無線チャネルが、見通し線（ＬＯＳ）支配的であるとき、良好なビーム分離は、おおよそ保持されることができる。
【００５３】
図１４は、例示的な偏波支援アナログビームフォーミングトレーニング１４００である。以下のうちの１つまたは複数が、適用されることができる。
【００５４】
イニシエータ１４０２は、トレーニングアナウンスメントのためのフレーム１４０４を送信することができる。トレーニングアナウンスメントフレーム１４０４は、ＥＤＭＧ  ＢＦトレーニングをセットアップするために定義されることができる、ＥＤＭＧ制御フレームであることができる。トレーニングアナウンスメントフレーム１４０４は、ビーコンフレームなどの管理フレームであることができる。トレーニングアナウンスメントフレーム１４０４は、トレーニングされるＰＡＡの数を示すことができる。トレーニングアナウンスメントフレーム１４０４は、トレーニングされる偏波の数を示すことができる。トレーニングアナウンスメントフレーム１４０４は、トレーニングされるビームの数を示すことができる。一例においては、偏波当たりのＰＡＡ当たりのビームの数が、伝達されることができる。別の例においては、ＰＡＡおよび偏波を通して形成されることができるビームの総数が、伝達されることができる。
【００５５】
レスポンダは、応答フレームを送信することができる。応答フレームは、トレーニングアナウンスメントフレーム１４０４の受信を知らせることができる。応答フレームの存在の表示は、ビーコンフレーム、トレーニングアナウンスメントフレーム１４０４、および／またはＡＴＩにおける要求フレームなどにおいて、伝達されることができる。
【００５６】
イニシエータ１４０２は、１つまたは複数のトレーニングフレーム１４０６を送信することができる。トレーニングフレーム１４０６は、ビーコンフレーム、ＤＭＧ  ＳＳＷフレーム、ＥＤＭＧ拡張ＳＳＷフレーム、および／またはショートＳＳＷフレームを含むことができる。トレーニングフレーム１４０６は、例えば、事前定義された順序で、あるビーム／セクタパターンを用いて、送信することができる。例えば、１つまたは複数のビームは、ＰＡＡ順序（例えば、第１）、および偏波順序（例えば、第２）に基づいて、形成されることができる。例においては、第１のＮ個のビームは、第１の偏波１４０８（例えば、図１４において示される偏波１）を用いて、第１のＰＡＡによって形成されることができ、第２のＮ個のビームは、第２の偏波１４１０（例えば、図１４において示される偏波２）を用いて、第１のＰＡＡによって形成されることができる。トレーニングフレーム１４０６Ａ、１４０６Ｂの第１のセットは、第１の偏波１４０８と関連付けられることができる。トレーニングフレーム１４０６Ｃ、１４０６Ｄの第２のセットは、第２の偏波１４１０と関連付けられることができる。第１のＰＡＡと関連付けられた偏波を使用した後、１つまたは複数のビームが、第２のＰＡＡによって形成されることができる。別の例においては、ビームは、第１に偏波によって、第２にＰＡＡによって、形成されることができる。トレーニングフレーム１４０６は、ＰＡＡインデックスを示すことができる。トレーニングフレーム１４０６は、偏波インデックスを示すことができる。
【００５７】
レスポンダは、最良のビーム、またはＭ個の最良のビーム１４１２を返信することができる。トレーニングアナウンスメントフレーム１４０４は、レスポンダが、トレーニングの間に、いくつのビームを選択すべきかを示すことができる。例えば、パラメータＭは、トレーニングアナウンスメントフレーム１４０４、ビーコンフレーム、および／またはＡＴＩにおける要求フレームなどにおいて、示されることができる。
【００５８】
偏波情報は、アナログＢＦトレーニングをセットアップするために使用されることができるフレーム内において、搬送されることができる。例えば、偏波情報は、ビーコンフレーム、アナウンスメントフレーム、ＭＩＭＯセットアップフレーム内などにおいて、搬送されることができる。偏波情報は、（例えば、アナログＢＦセットアップフレームが、受信機によって受信されないケースにおいて）個々の各トレーニングフレーム内において、搬送されることができる。
【００５９】
偏波は、直線偏波、円偏波、および／または混合された偏波を含むことができる。直線および円偏波を用いる場合、偏波は、固定されることができる。混合された偏波を用いる場合、アンテナは、複数の偏波を同時にサポートすることができる。ＲＦフロントエンドの数、および／または送信されるデータストリームの数が、偏波の数よりも少ない場合、偏波選択が、必要とされることがある。サポートされる各偏波は、仮想アンテナと見なされることができ、偏波選択は、各偏波タイプについて同様であることができる。ＰＡＡは、例えば、８０２．１１ａｙなど、多くの通信システムにおいて利用されることができる。ＲＦフロントエンドの数、および／または送信されるデータストリームの数が、ＰＡＡの数よりも少ない場合、ＰＡＡ選択が、実行されることができる。ＰＡＡは、仮想アンテナと見なされることができる。
【００６０】
仮想アンテナは、アンテナ偏波、ＰＡＡ構成、および／または他のタイプのアンテナを表すことができる。ＰＡＡ構成は、ＰＡＡインデックスおよび／またはＰＡＡ順序を含むことができる。
【００６１】
仮想アンテナ選択は、ビームが異なる偏波から形成されることができ、ＰＡＡ構成が送信されることができ、および／または１つもしくは複数の最良ビームが選択されることができる、アナログビームフォーミングトレーニングの一部であることができる。
【００６２】
仮想アンテナ選択は、アナログアンテナトレーニングの後に、実行されることができる。仮想アンテナ選択は、アナログアンテナトレーニングの後に、例えば、収集された情報を用いて、暗黙的に実行されることができる。
【００６３】
仮想アンテナ選択は、ＲＦフロントエンド／チェーンから仮想アンテナ（例えば、ＰＡＡ構成、偏波など）へのマッピングと見なされることができる。
【００６４】
仮想アンテナ選択（ＶＡＳ）は、明示的に、または暗黙的に（例えば、アンテナ相反性が仮定されることができる）、実行されることができる。
【００６５】
明示的なＶＡＳを用いる場合、イニシエータ（例えば、ＳＴＡ１）は、各ＶＡＳによって順次的に送信されるサウンディング／トレーニング系列を伴ったフレームを送信することができる。各系列は、異なる組み合わせと関連付けられたＶＡＳを用いて、送信することができる。例えば、４つの仮想アンテナをトレーニングするために、ＳＴＡ１は、それぞれ、異なるアンテナ回転組み合わせを用いて、トレーニング系列を４回送信することができる。例においては、信号を回転および合成するために、Ｐ行列が、使用されることができる。フレームは、ｘＳＩＦ時間前に送信されたヌルデータパケット（ＮＤＰ）アナウンスメントフレームを伴った、ＮＤＰフレームであることができる。フレームは、ＶＡＳのためのＮＤＰフレームを示すために、ヘッダフィールドが上書きされることができる、ＮＤＰフレームであることができる。
【００６６】
レスポンダ（例えば、ＳＴＡ２）は、トレーニングフレームの受信時に、フィードバックフレームを送信することができる。フィードバックフレームは、１つまたは複数の最良の仮想アンテナを示すことができる。フィードバックフレームは、受信仮想アンテナ選択を実行する意図を示すことができる。レスポンダが、受信仮想アンテナ選択を実行するとき、送信機は、受信アンテナ選択のための１つもしくは複数のトレーニングフィールドを追加すること、および／または例えば、受信機が、例えば、トレーニングなしに、または限られたトレーニングを用いて、１つもしくは複数の対応する受信アンテナを選択することができるように、（例えば、ＰＡＡおよび偏波情報を含む）送信仮想アンテナ設定を明示的に伝達することができる。
【００６７】
ＳＴＡ１は、（例えば、ＳＴＡ２からのフィードバックに基づいて）送信機サイドにおいて、ＶＡＳを実行することができる。ＳＴＡ１は、ＭＩＭＯ送信の前に、ＭＩＭＯセットアップフレームまたは他の制御／管理フレーム内において、ＶＡＳ設定を伝達することができる。ＶＡＳ設定のシグナリングは、ＭＩＭＯデータ送信と一緒に、ＰＬＣＰヘッダ内において、送信されることができる。
【００６８】
ビーム精緻化プロトコル（ＢＲＰ）は、例えば、８０２．１１ａｄにおいて、受信機トレーニングを可能にすることができる。ＢＲＰは、ＳＬＳの間に決定された値を改善するために、送信機および受信機サイドを反復的にトレーニングすることができる。偏波方向を調整する機能を有するアンテナを用いる場合、ＢＲＰは、偏波を精緻化することを含むように拡張されること、または偏波精緻化によって置換されることができる。偏波精緻化プロトコル（ＰＲＰ）は、既存のＢＲＰの一部であること、またはＢＲＰとは別であることができ、例えば、ＰＲＰは、ＢＲＰの前または後に、生じることができる。
【００６９】
図１５Ａは、例えば、既存のＢＲＰの一部としての例示的なＰＲＰ１５００を示すフローチャートである。例示は、ＳＬＳフェーズ１５０２で開始することができる。ＳＬＳフェーズ１５０２は、ＢＲＰおよび／またはＰＲＰセットアップ１５０４によって後続されることができる。ＢＲＰおよび／またはＰＲＰセットアップ１５０４は、ＢＲＰおよび／またはＰＲＰフェーズ１５０６によって後続されることができる。
【００７０】
図１５Ｂは、例示的なＰＲＰ１５５０を示すフローチャートであり、例えば、ＰＲＰは、ＢＲＰの後に生じる。例示的なＰＲＰ１５５０は、ＳＬＳフェーズ１５５２を含む（で開始する）ことができる。ＳＬＳフェーズ１５５２は、ＢＲＰセットアップ１５５４によって後続されることができる。ＢＲＰセットアップ１５５４は、ＢＲＰフェーズ１５５６によって後続されることができる。ＢＲＰフェーズ１５５６、ＰＲＰセットアップ１５５８によって後続されることができる。ＰＲＰセットアップ１５５８は、ＰＲＰフェーズ１５６０によって後続されることができる。
【００７１】
８０２．１１ａｄにおいては、ＢＲＰは、例えば、要求−応答プロトコルに基づいた、セットアップフェース、および／またはビーム精緻化フェーズを含むことができる。例えば、レスポンダ（例えば、受信機）が、ＢＲＰパケット内の機能−要求フィールドを０になるように設定するまで、１つまたは複数の要求−応答パケットが、交換されることができる。イニシエータ（例えば、送信機）が、０に設定された機能−要求フィールドを用いて応答することができる。ＰＲＰが、既存のＢＲＰの一部であるとき、機能−要求フィールドを０になるように設定することは、ＢＲＰおよび／またはＰＲＰの完了を示すことができる。ＰＲＰが、ＢＲＰの後に実行されるとき、例えば、ＢＲＰおよびＰＲＰの完了を示すために、機能−要求フィールドを設定することが、２回行われる必要があることがある。
【００７２】
ＭＩＭＯ送信は、１つまたは複数の偏波を含むことができる。ｍｍＷ通信システムにおけるＭＩＭＯ送信は、複数のデータストリーム、および／または複数のＲＦチェーンを含むことができる。各ＲＦチェーンは、ＰＡＡ構成、偏波、またはＰＡＡ構成における偏波などに対応することができる。ｍｍＷ通信を用いる場合、ハイブリッドビームフォーミングが、適用されることができる。ベースバンドにおいて見られる仮想チャネルは、アナログビームフォーミングの後のチャネルであることができる。チャネル分離は、アナログビームフォーミング、および／または物理アンテナ要素の特性に依存することができる。ｍｍＷ通信システムにおけるＭＩＭＯ送信のためのチャネル分離は、６ＧＨｚ未満送信におけるチャネル分離とは異なることができる。二重偏波を用いるアンテナは、直交（例えば、ほとんど直交）アナログビーム／チャネル分離を用いて、良好なＭＩＭＯチャネルを提供することができる。例えば、ＬＯＳおよび／またはＬＯＳ支配的チャネルを用いる場合の、ｍｍＷチャネル伝搬特性に基づいて、受信機サイドにおいて、直交性が、維持されることができる。ＬＯＳおよび／またはＬＯＳ支配的チャネルシナリオを用いる場合、ＭＩＭＯ送信は、例えば、詳細なＣＳＩ情報を知ることなしに、最適化されることができる。
【００７３】
オープンループマルチプルデータストリーム送信を用いる場合、すべての偏波および／またはＰＡＡを含む、すべての仮想アンテナにわたって信号を分配することは、貧弱な性能をもたらすことがある。
【００７４】
複数のデータストリームは、例えば、ＰＡＡ割り当て／選択（例えば、偏波マッピング）の前に、解析され、および／または異なる偏波に割り当てられることができる。各偏波に対して複数のＰＡＡが利用可能であるとき、データストリームは、１つまたは複数の空間方式（例えば、ＰＡＡ／空間マッピング／選択）を使用して、複数のＰＡＡに展開されることができる。１つまたは複数の空間方式は、オープンループプリコーディング、クローズドループプリコーディング、ＣＳＤ、および／または空間−時間符号化を含むことができる。仮想アンテナ／ＰＡＡ／偏波選択方式が、適用されるとき、同じまたは似た偏波方向を有する仮想アンテナは、グループ化されることができる。異なるデータストリームは、例えば、異なる偏波に対応する、異なるグループに割り当てられることができる。仮想アンテナ選択（例えば、ＰＡＡ／空間マッピング）は、各グループ内において実行されることができる（例えば、グループ内選択）。各グループのために、１つまたは複数の最良の仮想アンテナが、選択されることができる。
【００７５】
図１６は、オープンループマルチプルデータストリーム送信のための例示的な空間マッピング１６００である。例示的な空間マッピング１６００は、偏波マッピング１６０２、およびＰＡＡ／空間マッピング１６０４を含むことができる。偏波マッピング１６０２において、Ｎ個のストリームが、Ｍ個の偏波にマッピングされることができる。Ｎ＝Ｍであるとき、偏波マッピング１６０２は、１対１マッピングであることができる。Ｎ＜Ｍであるとき、１つまたは複数のストリームが、２つ以上の偏波にマッピングされることができる。Ｎ＞Ｍであるとき、２つ以上のストリームが、１つまたは複数の偏波にマッピングされることができ、ストリームは、さらにＰＡＡ／空間マッピング１６０４によって、分離される必要があることがある。ＰＡＡ／空間マッピング１６０４は、各偏波に対して適用されることができる。例えば、第１のＰＡＡ／空間マッピング１６０４Ａは、第１の偏波１６０６に対して実行されることができる。第２のＰＡＡ／空間マッピング１６０４Ｂは、第２の偏波１６０６に対して実行されることができる。ＰＡＡ／空間マッピング１６０４Ａ、１６０４Ｂは、第１の偏波１６０６と第２の偏波１６０６とで独立であることができる。合同ＰＡＡマッピングが、偏波に適用されることができる。Ｍ個の偏波が、Ｋ個の仮想アンテナにマッピングされることができ、Ｋ≧ｍａｘ（Ｍ，Ｎ）である。
【００７６】
１つまたは複数（例えば、４つ）のＲＦチェーンは、２つのＰＡＡを介して、送信することができる。各ＰＡＡは、二重偏波をサポートすることができる。例えば、１つまたは複数のＲＦチェーンは、４つの仮想アンテナ（ＰＡＡ１、Ｐｏｌ１）、（ＰＡＡ１、Ｐｏｌ２）、（ＰＡＡ２、Ｐｏｌ１）、および（ＰＡＡ２、Ｐｏｌ２）にマッピングされることができ、Ｐｏｌｘは、偏波方向ｘを示すことができる。例えば、Ｐｏｌ１は、垂直偏波方向を表すことができ、Ｐｏｌ２は、水平偏波方向を表すことができる。
【００７７】
図１７は、偏波を用いる例示的なオープンループベースバンドＭＩＭＯ送信１７００である。オープンループ２以上データストリーム送信のために、以下のうちの１つまたは複数が、実行されることができる。ストリームパーサは、符号化されたビットストリームを、２つ以上のビットストリームに分割することができる。符号化されたビットストリームは、例えば、パディング、スクランブラエンコーディング、および／またはＬＤＰＣエンコーディングの後、生成されることができる。各ビットストリームについて、コンステレーションマッパは、例えば、ストリームパーサの後に、ビットをコンステレーションシンボルにマッピングすることができる。ストリームパーサは、コンステレーションマッピングの後、シンボル領域において、ストリームを分割することができる。第１のシンボルストリーム１７０２（例えば、ストリーム１）は、垂直方向に偏波された第１のＰＡＡ１７０４（例えば、ＰＡＡ１、Ｖ）、および垂直方向に偏波された第２のＰＡＡ１７０６（ＰＡＡ２、Ｖ）上において、送信されることができる。第２のシンボルストリーム１７０８（例えば、ストリーム２）は、図１７に示されるように、水平方向に偏波された第１のＰＡＡ１７０４（例えば、ＰＡＡ１、Ｈ）、および水平方向に偏波された第２のＰＡＡ１７０６（ＰＡＡ２、Ｈ）上において、送信されることができる。例えば、信号を２つの空間領域信号に展開するために、オープンループプリコーディングが、各データストリーム上において適用されることができる。ストリーム１  １７０２に適用されるオープンループプリコーディング行列は、（ｗ11  ｗ12）Tと表されることができる。ストリーム２  １７０８に適用されるオープンループプリコーディング行列は、（ｗ21  ｗ22）Tと表されることができる。ストリーム２は、オープンループプリコーディング行列を適用する前または後に、位相回転されられることができる。ストリーム１  １７０２と関連付けられたプリコーディング重みは、ストリーム２  １７０８と関連付けられたプリコーディング重みに対して直交していることができる。ストリームを２つのアンテナに展開するために、１つまたは複数の他の空間時間方式（例えば、ＣＤＤ、アラモウチなど）が、適用されることができる。ＭＩＭＯ方式とともに、電力割り当ておよび／またはＭＣＳ割り当てが、適用されることができる。等しくない電力／ＭＣＳが、空間ストリームに適用されることができる。
【００７８】
２データストリーム送信は、アンテナ選択を含むことができる。アンテナ選択は、部分的なＣＳＩに基づくことができる。完全なＣＳＩと比較されたとき、部分的なＣＳＩは、例えば、フィードバックを有する、明示的なサウンディングケースにおいて、より僅かなフィードバックオーバヘッドしか必要としないことができる。完全なＣＳＩと比較されたとき、部分的なＣＳＩは、例えば、チャネル相反性を使用する、暗黙的なサウンディングケースにおいて、より僅かな周波数トレーニング系列しか必要としないことができる。仮想アンテナ選択は、アンテナ認識（例えば、ＰＡＡ情報および／または偏波情報）に基づくことができる。
【００７９】
図１８は、偏波毎のアンテナ選択を用いる例示的なＭＩＭＯデータストリーム送信１８００である。仮想アンテナ選択は、偏波毎の選択を使用して、実行されることができる。図１８に示されるように、第１の空間ストリーム１８０２（例えば、ストリーム１）は、１つまたは複数の垂直仮想アンテナにマッピングされることができ、第２の空間ストリーム１８０８（例えば、ストリーム２）は、１つまたは複数の水平仮想アンテナにマッピングされることができる。ＳＴＡは、ストリーム１  １８０２のための仮想アンテナを、第１のＰＡＡ１８０４の垂直仮想アンテナ（例えば、ＰＡＡ１、Ｖ偏波）、および第２のＰＡＡ１８０６の垂直仮想アンテナ（例えば、ＰＡＡ２、Ｖ偏波）から、選択することができる。仮想アンテナ選択は、部分的なＣＳＩに基づくことができる。部分的なＣＳＩは、送信ＳＴＡサイドにおいて、収集されることができる。明示的なサウンディングにおいて、部分的なＣＳＩは、受信ＳＴＡから送信ＳＴＡにフィードバックされることができる。暗黙的なサウンディングシナリオを用いる場合、部分的なＣＳＩは、例えば、受信ＳＴＡから送信ＳＴＡに送信されるフレームを使用して、送信ＳＴＡサイドにおいて、推定されることができる。フレームは、サウンディング系列を搬送することができる。部分的なＣＳＩは、チャネル応答の絶対値、ＲＳＳＩ、ＳＮＲ、および／またはＳＩＮＲを含むことができる。ＳＴＡは、ストリーム２  １８０８のための仮想アンテナを、第１のＰＡＡ１８０４の水平仮想アンテナ（例えば、ＰＡＡ１、Ｈ偏波）、および第２のＰＡＡ１８０６の水平仮想アンテナ（例えば、ＰＡＡ２、Ｈ偏波）から、選択することができる。
【００８０】
仮想アンテナ選択は、偏波制限なしに、実行されることができる。そのような例においては、アンテナ選択のために、偏波情報は、使用されないことがある。
【００８１】
電力割り当ておよび／またはＭＣＳ割り当てが、ＭＩＭＯとともに適用されることができる。等しくない電力および／またはＭＣＳが、空間ストリームに適用されることができる。
【００８２】
図１９は、偏波を用いる例示的なオープンループベースバンド３データストリームＭＩＭＯ送信１９００である。ストリーム１  １９０２などの第１のストリームは、（例えば、ＰＡＡ１  １９０４およびＰＡＡ２  １９０６の）垂直偏波上において、送信されることができる。例えば、ストリーム１  １９０２は、ＰＡＡ１  １９０４の垂直偏波１９１２Ａ、およびＰＡＡ２  １９０６の垂直偏波１９１２Ｂに、マッピングされることができる。ストリーム２  １９０８などの第２のストリーム、およびストリーム３  １９１０などの第３のストリームは、例えば、それぞれ、ＰＡＡ１  １９０４およびＰＡＡ２  １９０６の水平偏波上において、送信されることができる。ストリーム２  １９０８、およびストリーム３  １９１０は、異なる重み（例えば、Ｗ21およびＷ31）を用いて、２つの仮想アンテナにマッピング（例えば、直接的にマッピング）されることができる。例えば、ストリーム２  １９０８は、ＰＡＡ１  １９０４の水平偏波１９１４Ａにマッピングされることができる。ストリーム３  １９１０は、ＰＡＡ２  １９０６の水平偏波１９１４Ｂにマッピングされることができる。２×２ユニタリ行列が、ストリーム２  １９０８およびストリーム３  １９１０に適用されることができ、それは、それぞれのシンボルをもたらすことができる。それぞれの結果のシンボルは、２つの水平偏波仮想アンテナにマッピングされることができる。
【００８３】
図２０は、アンテナ選択を用いる例示的なオープンループベースバンド３データストリームＭＩＭＯ送信２０００である。図２０に示されるように、３ストリーム送信において、アンテナ選択が、実行されることができる。図２０に示される例示的なオープンループベースバンド３データストリームＭＩＭＯ送信２０００は、アンテナグループ選択、およびグループ内アンテナ／空間方式選択を含むことができる。アンテナは、偏波情報に基づいて、グループ化されることができる。第１のグループは、垂直偏波アンテナを含むことができ、第２のグループは、水平偏波アンテナを含むことができる。例えば、第１のグループ（例えば、グループ１）は、ＰＡＡ１  ２００４の第１の垂直偏波アンテナ２０１２Ａ（例えば、ＰＡＡ１、Ｖ）、およびＰＡＡ２  ２００６の第２の垂直偏波アンテナ２０１２Ｂ（例えば、ＰＡＡ２、Ｖ）を含むことができる。第２のグループ（例えば、グループ２）は、ＰＡＡ１  ２００４の第１の水平偏波アンテナ２０１４Ａ（例えば、ＰＡＡ１、Ｈ）、およびＰＡＡ２  ２００６の第２の水平偏波アンテナ２０１４Ｂ（例えば、ＰＡＡ２、Ｈ）を含むことができる。ＳＴＡは、アンテナ選択の前に、グループ選択を実行することができる。グループ選択は、グループ内空間分離に基づいて、グループを選択することを含むことができる。グループ内空間分離は、ランク、状態数などを使用して、測定されることができる。例えば、グループ２は、グループ１よりも良好な空間分離を有することができる。例えば、グループ２が、グループ１よりも良好な空間分離を有するとき、２つのストリームは、グループ２上において送信されることができ、１つのストリームは、グループ１上において送信されることができる。ＳＴＡは、各グループのためのアンテナおよび／または空間方式を選択することができる。例えば、ＳＴＡは、グループ１内においてアンテナ選択を実行することができる。ストリーム１  ２００２は、例えば、アラモウチ、ＣＤＤ、またはクローズドループプリコーディングなどの別の空間方式を使用して、グループ１内のアンテナ上において送信されることができる。グループ２については、ストリーム２  ２００８およびストリーム３  ２０１０は、異なる重み（例えば、Ｗ21およびＷ31）を用いて、２つの仮想アンテナにマッピング（例えば、直接的にマッピング）されることができる。２×２ユニタリ行列が、ストリーム２  ２００８およびストリーム３  ２０１０に適用されることができ、それは、それぞれのシンボルをもたらすことができる。それぞれの結果のシンボルは、２つの水平偏波仮想アンテナにマッピングされることができる。電力割り当ておよび／またはＭＣＳ割り当てが、ＭＩＭＯとともに適用されることができる。等しくない電力および／またはＭＣＳが、空間ストリームに適用されることができる。
【００８４】
ベースバンド送信は、例えば、受信機が、受信ビームをしかるべく準備することができるように、（例えば、明示的に）指定および／または伝達されることができる。ベースバンド送信の使用は、ＰＬＣＰヘッダおよび／または制御／管理フレーム内において、伝達されることができる。制御／管理フレームは、ＭＩＭＯ送信をスケジュールおよび／またはセットアップするために、使用されることができる。制御／管理フレームは、フレームのＭＡＣヘッダ内に含まれることができる。
【００８５】
送信機は、１つまたは複数のストリームおよび／またはレイヤを送信することができる。ストリームは、複数の重みと関連付けられることができる。送信機は、複数の電力増幅器（ＰＡ）を介して、複数のストリームを送信することができる。送信機は、すべての電力増幅器を介し、すべての重みを使用して、ストリームを送信することができ、または送信機は、対応する電力増幅器を介し、各重みを使用して、ストリームを送信することができる。例えば、送信機は、１つの電力増幅器を介して、第１のストリーム（例えば、１つのストリームと関連付けられたすべての重み）を送信することができる。別の例においては、送信機は、第１の電力増幅器を介して、第１のストリームの第１の重みを送信することができ、第２の電力増幅器を介して、第１のストリームの第２の重みを送信することができる。
【００８６】
図２１は、すべてのＰＡがすべての重みによって作動させられる、例示的なアナログアーキテクチャである。送信機２１０２は、（例えば、ＰＡ２１０４、２１０６など）２つ以上のＰＡを介して、異なる重みを有することができる複数のストリームを送信することができる。例えば、各ＰＡは、複数のストリームを送信するために、使用されることができる。ＰＡ２１０４およびＰＡ２１０６は、各々、複数のストリームの異なる重みによって、作動させることができる。受信機２１５２は、（例えば、低ノイズ増幅器（ＬＮＡ）２１５４、２１５６など）２つ以上のＬＮＡを介して、１つまたは複数のストリーム（例えば、ストリームを含む信号）を受信することができる。
【００８７】
図２２は、異なるＰＡが別々の重みによって作動させられる、例示的なアナログアーキテクチャである。送信機２２０２は、別々のＰＡを介して、異なる重みを有するストリームを送信することができる。例えば、第１のストリームの第１の重みは、第１のＰＡ２２０４を介して、送信されることができる。第１のストリームの第２の重みは、第２のＰＡ２２０６を介して、送信されることができる。第２のストリームの第３の重みは、第３のＰＡ２２０８を介して、送信されることができる。第２のストリームの第４の重みは、第４のＰＡ２２１０を介して、送信されることができる。受信機２２５２は、別々のＬＮＡを介して、異なる重みを有するストリームを受信することができる。例えば、各ＬＮＡは、ある重みを有する信号を受信するように構成されることができる。第１の信号の第１の重みは、第１のＬＮＡ２２５４を介して、受信されることができる。第１の信号の第２の重みは、第２のＬＮＡ２２５６を介して、受信されることができる。第２の信号の第３の重みは、第３のＬＮＡ２２５８を介して、受信されることができる。第２の信号の第４の重みは、第４のＬＮＡ２２６０を介して、受信されることができる。受信された信号は、ｙ＝Ｈｘと表されることができ、ｙは、ベクトルでありＨは、行列であり、ｘは、送信ストリームと関連付けられたベクトルである。ｘの各要素は、送信ストリームに対応することができる。ｙの各要素は、行列Ｈによる送信ストリームｘの線形結合を含むことができる。
【００８８】
送信機および受信機は、例えば、送信機と受信機との間における１つまたは複数の最良の送信／受信ビームペアを識別するために、エンハンスドセクタレベルスイープ手順（ｅＳＬＳ）、またはエンハンスドビーム精緻化プロトコル手順（ｅＢＲＰ）などの、ビーム探索アルゴリズムを使用することができる。ビームペアは、固定されることができ、データストリームは、別々のビームペア上において、送信されることができる。
【００８９】
ビームペアの数は、固定されることができ、許可された最大ストリーム数（例えば、８０２．１１ａｙの場合、Ｎsts＝２）に等しいことができる。
【００９０】
ビームペアの数は、許可された最大ストリーム数に等しいことができる。送信機および受信機は、例えば、ビームペアと関連付けられたチャネルの（例えば、妨害に起因する）フェードアウトに基づいて、使用されるビームペア（および送信されるストリームの数）を動的に変更することができる。
【００９１】
ビームペアの数は、許可された最大ストリーム数よりも多いことがあり、送信機および受信機は、ビームペアと関連付けられたチャネルの品質、および／またはＭＩＭＯ送信モードに基づいて、送信のための１つまたは複数の最良のビームを動的に選択する。
【００９２】
送信フェーズの一般化されたモデルは、
ｙ＝Ｈ・ＦRF・ＦBB・ｘ
と表されることができ、ｙは、いずれの受信機処理よりも前の、受信信号であり、Ｈは、チャネルであり、ＦRFは、アナログプリコーダであり、ＦBBは、ベースバンドプリコーダであり、ｘは、送信信号である。ベースバンドプリコーダは、対角行列とすることができ、対角成分は、（例えば、アナログアーキテクチャに基づいて）アナログ重みのセット上に配置されるエネルギーの量に対応する。
【００９３】
ベースバンドプリコーダは、
【００９４】
【数１】
2019527514.tif 000003
【００９５】
と表されることができ、ｆａ1は、ｅＳＬＳまたはｅＢＲＰによって事前選択された、ＲＦプリコーダ（ＦRF）の第ｉのアナログビームを表すベクトルであり、ｆｄiは、（例えば、ベースバンドプリコーダが存在しないので）第ｉのビーム上に配置されるエネルギーの量を表すスカラであり、ｘiは、第ｉのビーム上におけるデータストリームであり、ｎは、ビームの総数であり、
【００９６】
【数２】
2019527514.tif 000004
【００９７】
は、電力正規化係数である。ｎは、ストリームの総数よりも大きいことがあり、それは、ビーム選択が実行されることがあることを暗示することができる。アナログモデルにおいては、ダイバーシティ送信は、考慮されないことがある。
【００９８】
１つまたは複数のモードが、使用されること、例えば、送信のために使用されることができる。モードは、オープンループ送信、ビーム選択、および／またはビームローディングを含むことができる。
【００９９】
オープンループモードが、送信のために使用されることができる。オープンループ送信においては、ベースバンドプリコーダの要素は、
ｆｄi＝１、ｉ＝１，．．．，ｎ
と表されることができる。
【０１００】
オープンループ送信においては、データは、送信機においてビーム状態情報を必要としない、または受信機からのフィードバックを必要としない、すべてのビーム上において送信されることができる。利得は、ビーム間の相関に基づいて、および／または（例えば、妨害物によるビームのフェージングに起因する）等しくないビーム電力レベルによって、制限されることがある。
【０１０１】
ビーム選択が、実行されることができる。（例えば、ビームが、アンテナ、偏波、物理的アンテナアレイ、および／またはアンテナパネルに基づくことができる）ビーム選択においては、ベースバンドプリコーダの要素は、
【０１０２】
【数３】
2019527514.tif 000005
【０１０３】
と表されることができる。
【０１０４】
選択されないビーム上における電力は、ゼロになるように設定されることができる。選択されたビームは、全電力送信を有することができる。例えば、その上で送信されるべきビームを識別するために、送信機におけるビーム状態情報、または受信機からのフィードバックが、必要とされることがある。チャネル状態情報（ＣＳＩ）の量は、制限されることがある。フィードバックの量は、制限されることがある。
【０１０５】
ビーム毎のフィードバックは、２進数であることができる。２進数は、ビームが使用されるべきかどうかを示すことができる。
【０１０６】
ビーム毎のフィードバックは、ＳＮＲ、ＳＩＮＲ、またはＲＳＳＩなどの、所望のメトリックであることができる。送信機は、ビームが選択されるべきかどうかを決定するために、ビーム毎のフィードバックを使用することができる。
【０１０７】
（例えば、空間時間ストリームの最大数が常に送信されるケースにおいて）送信機を１つまたは複数の最良のビームに切り換えるために、ビーム選択が、使用されることができる。ビーム選択は、送信された場合に貧弱に動作することがあるビームをオフに切り換えるために、使用されることができる。例えば、選択されないビーム上において情報を送信するために使用される電力は、選択されたビームに移されることができる。ベースバンドプリコーダは、
【０１０８】
【数４】
2019527514.tif 000006
【０１０９】
と表されることができる。
【０１１０】
ビームローディングが、実行されることができる。（例えば、ビームが、アンテナ、偏波、物理的アンテナアレイ、および／またはアンテナパネルに基づくことができる）ビームローディングにおいては、ベースバンドプリコーダの要素は、０≦ｆｄi≦１になるように設定されることができる。
【０１１１】
例えば、選択されないビーム上における電力は、ゼロになるように設定されることができる。選択されたビームは、最適化基準に基づいた電力のレベルを有することができる。最適化基準は、より良好なビームがより多くの電力を有するような、容量基準を含むことができる。最適化基準は、より不良なビームがより多くの電力を有するような、等価エラー基準(equal error criterion)を含むことができる。ｆｄiへの制限を用いる場合、ビームローディングは、ビーム選択およびオープンループ送信の両方を含むことができる。
【０１１２】
ビーム選択と比較されたとき、ビームローディングのために必要とされるＣＳＩおよび／またはフィードバックの量は、増加することがある。例えば、ビームローディングは、ビーム選択よりも多くのＣＳＩおよび／またはフィードバックを必要とすることがある。
【０１１３】
ビーム毎のフィードバックは、ビーム上において使用されるエネルギーの量を示す数であることができる。受信機は、ビームローディング決定を行うことができる。ビーム毎のフィードバックは、直接ｄＢｍ値を含むことができる。ビーム毎のフィードバックは、それぞれのビームのために受信機によって必要とされるＲＳＳＩを含むことができる。
【０１１４】
ビーム毎のフィードバックは、ＳＮＲ、ＳＩＮＲ、またはＲＳＳＩなどの、所望のメトリックであることができる。ビーム毎のフィードバックは、ビームフォーミング後の有効チャネルであることができる。送信機は、ビーム毎のフィードバックに基づいて、ビームが選択されるべきかどうかを決定することができる。
【０１１５】
ビーム選択および／またはビームローディングは、例えば、経路が妨害されるケースにおいて、ロバストな送信のために、使用されることができる。
【０１１６】
ビーム選択およびビームローディングのために、送信機において、情報が、必要とされることがある。送信機および／または受信機は、（例えば、１つまたは複数の最良のビームペアを識別するために）ビームペアスイープ手順を実行することができ、最良の送信モードの選択を可能にするために、受信機は、送信機にフィードバック情報を送信する。フィードバック情報は、（例えば、ＳＮＲ、ＳＩＮＲ、ＭＣＳ、チャネル相関、ＲＳＳＩ、明示的な有効チャネルなど）１つまたは複数のビームメトリックを含むことができる。フィードバック情報は、（例えば、受信機がチャネルを推定し、決定を行うケースにおいて）特定のモードを使用するための受信機からの表示を含むことができる。
【０１１７】
測定フェーズは、ｅＳＬＳまたはｅＢＲＰフェーズにおいて選択された送信機および受信機ビーム上におけるスイープを含むことができる。スイープは、網羅的なスイープであることができる。網羅的なスイープは、可能なＴｘおよびＲｘビームのスイープを含むことができる。例えば、２つのＴｘビーム（例えば、Ａ、Ｂ）、および３つのＲｘビーム（例えば、Ｃ、Ｄ、Ｅ）が、存在する場合、網羅的なスイープは、６回スイープすることがある（例えば、Ａ／Ｃ、Ａ／Ｄ、Ａ／Ｅ、Ｂ／Ｃ、Ｂ／Ｄ、およびＢ／Ｅ）。
【０１１８】
ｅＳＬＳまたはｅＢＲＰフェーズにおいて選択された送信機および受信機ビーム上における網羅的なスイープが、実行されることができ、ビームの正確な推定をもたらすことができる。測定フェーズは、ビームが、同時に構築されることができ、（例えば、信号構築自体に基づいて、または空間分離に基づいて）直交信号を使用して、同時に推定されることができる点で、効率的なことがある。例においては、ビーム測定は、順次的に発生する必要があることがあり、それは、最良のビームペアを発見するのに大きな待ち時間をもたらすことがある。
【０１１９】
図２３は、ｅＳＬＳまたはｅＢＲＰから推定される３つのビームペアを有する例示的なＴｘ−ＲＸペアである。図２３に示されるように、例示的な送信機受信機ペアは、ｅＳＬＳおよび／またはｅＢＲＰから推定される３つのビームペアを含むことができる。例えば、送信機２３１０は、１つまたは複数の送信ビームペアの送信を可能にすることができる。１つまたは複数の送信ビームペアは、Ｔｘビームペア１  ２３１２、Ｔｘビームペア２  ２３１４、および／またはＴｘビームペア３  ２３１６を含むことができる。受信機２３２０は、１つまたは複数の受信ビームペアを可能にすることができる。１つまたは複数の受信ビームペアは、Ｒｘビームペア１  ２３２２、Ｒｘビームペア２  ２３２４、および／またはＲｘビームペア３  ２３２６を含むことができる。
【０１２０】
タイプ１測定を実行するために、制御トレーラが、使用されることができる。制御トレーラは、（例えば、送信機および受信機の両方が、それらのビームが選択されたビームペアになるように設定されたことを知るように）測定モードをセットアップするために、使用されることができる。制御トレーラは、データフレームに追加されることができる。制御トレーラは、モード測定セットアップフィールドを含むことができる。制御トレーラは、例えば、測定（例えば、タイプ１測定）を容易にするための系列を含むことができる。測定は、例えば、図２４に示されるように、順次的であることができる。測定は、例えば、図２５に示されるように、同時に送信されることができる。測定は、例えば、図２６に示されるように、順次および同時の組み合わせとして、送信されることができる。イニシエータがモード測定アナウンスメントを送信することができる、スタンドアロンフレームのセットが、使用されることができる。モード測定セットアップフィールドは、測定系列を示すことができる。
【０１２１】
図２４は、順次ビームペア測定のための例示的なフレーム２４００である。フレーム２４００は、データフレームであることができる。順次ビームペア測定の場合、ＴｘおよびＲｘは、適切な測定を可能にするために、ビームの順序および／またはタイミングを知る必要があることがある。制御トレーラ２４０２が、フレーム２４００に追加されることができる。例えば、フレーム２４００は、制御トレーラ２４０２を含むことができる。制御トレーラ２４０２は、モード測定セットアップフィールド２４０４と、１つまたは複数の系列フィールド２４０６Ａ、２４０６Ｂ、２４０６Ｃとを含むことができる。モード測定セットアップフィールド２４０４は、順次ビームペア測定を示すことができ、ビームペアの測定についてのタイプおよび順序を示すことができる。系列フィールド２４０６Ａ、２４０６Ｂ、２４０６Ｃは、測定信号および／またはトレーニングフィールドであることができる。系列フィールド２４０６Ａ、２４０６Ｂ、２４０６Ｃは、ビームペアを測定するために、使用されることができる。
【０１２２】
図２５は、並列ビームペア測定のための例示的なフレーム２５００である。フレーム２５００は、データフレームであることができる。並列ビームペア測定の場合、ＴｘおよびＲｘの両方は、適切な測定を可能にするために、ビームの順序および／またはタイミングを知る必要があることがある。制御トレーラ２５０２が、フレーム２５００に追加されることができる。例えば、フレーム２５００は、制御トレーラ２５０２を含むことができる。制御トレーラ２５０２は、モード測定セットアップフィールド２５０４と、１つまたは複数のビームペア測定／トレーニングフィールド２５０６Ａ、２５０６Ｂ、２５０６Ｃとを含むことができる。モード測定セットアップフィールド２５０４は、並列（例えば、同時）ビームペア測定、および／または並列ビームペア測定が実行されることができる順序を示すことができる。
【０１２３】
図２６は、順次および並列ビームペア測定のための例示的なフレーム２６００である。フレーム２６００は、データフレームであることができる。制御トレーラ２６０２が、フレーム２６００に追加されることができる。例えば、フレーム２６００は、制御トレーラ２６０２を含むことができる。制御トレーラ２６０２は、モード測定セットアップフィールド２６０４を含むことができる。モード測定フィールド２６０４は、順次および並列ビームペア測定を示すことができる。順次および並列ビームペア測定は、第１の時間において、２つ以上の第１のビームペア２６０６Ａ、２６０６Ｂを同時に測定することを含むことができる。順次および並列ビームペア測定は、第２の時間において、２つ以上の第２のビームペア２６０６Ｃ、２６０６Ｄを測定することを含むことができる。例えば、第１のビームペア２６０６Ａ、２６０６Ｂが、最初に測定されることができる。第２のビームペア２６０６Ｃ、２６０６Ｄが、２番目に測定されることができる。
【０１２４】
図２７は、例示的なビームペア毎のフィードバックである。例えば、フィードバックは、各ビームペア毎に送信されることができる。フィードバックは、フィードバックビームペア１フィールド２７０２、フィードバックビームペア２フィールド２７０４、および／またはフィードバックビームペア３フィールド２７０６を含むことができる。フィードバックの順序は、例えば、モード測定セットアップの間に、明示的に伝達されることができる。フィードバックの順序は、例えば、モード測定セットアップに基づいて、暗黙的に導出されることができる。あるいは、ＰＣＰ／ＡＰは、フィードバックを要求するために、各ユーザに独立にポーリングを行うことができる。ビームペア間のフィードバックは、互いに隣接して送信されることができ、または所望のフレーム間間隔、例えば、ＳＩＦＳによって分離されることができる。
【０１２５】
図２８は、例示的なスタンドアロン順次測定フレーム２８００である。例えば、モード測定セットアップフレームおよび関連付けられた系列フィールドを制御トレーラとしてデータフレームに含める代わりに、モード測定セットアップフィールド２８０２および関連付けられた系列フィールド２８０４Ａ、２８０４Ｂ、２８０４Ｃは、スタンドアロンフレームであることができる。
【０１２６】
測定フェーズは、受信機におけるｅＳＬＳまたはｅＢＲＰフェーズにおいて選択されたビームのスイープを伴った、送信機における準無指向性送信を含むことができる。
【０１２７】
準無指向性送信は、受信ビームだけと関連付けられたビームメトリックが、選択された送信機−受信機ビームペアと関連付けられた別のビームメトリックに相関することを仮定することができる。最良の受信機ビームについての知識は、最良のビームペアについての知識を示すことができる。準無指向性送信は、例えば、順次または順次＋並列測定が使用される場合、待ち時間の削減をもたらすことができる。準無指向性送信は、例えば、ビーコン送信間隔の間に、単一の送信機からの複数の受信機に対する同時測定を可能にすることができる。
【０１２８】
図２９は、準無指向性送信を用いる例示的なＴｘ−ＲＸペアである。送信機２９０２は、ｅＳＬＳおよび／またはｅＢＲＰにおいて発見および／または選択された１つまたは複数のビームを使用して、送信することができる。送信機２９０２は、Ｔｘ準無指向性送信２９０４を送信することができる。受信機２９０６は、１つまたは複数のビームペアを介して、Ｔｘ準無指向性送信２９０４を受信することができる。例えば、受信機２９０６は、Ｒｘビームペア１  ２９０８、Ｒｘビームペア２  ２９１０、および／またはＲｘビームペア３  ２９１２を介して、Ｔｘ準無指向性送信２９０４を受信することができる。
【０１２９】
無指向性ビームは、すべての方向において、等価の利得を有することができる。準無指向性ビームは、ほとんど無指向性であることができるが、等価利得ビームと比較されたとき、平均よりも大きいまたは小さい利得を有することができる。そのため、例えば、準無指向性（ＱＯ）ビームは、無指向性ではないので、ＱＯビームは、ある方向においてペナルティと関連付けられることができる。ペナルティは、ある方向におけるビームの利得と、基準利得、例えば、平均ビームまたは（受信機を向いた）照準上のビームとの間の差として、推定されることができる。ペナルティは、例えば、図２９に示されるように、システムが、特定のビームペアの代わりにＱＯビームを使用しながら、利得を正しく推定することを可能にするために、推定および／または補償される必要があることがある。
【０１３０】
送信機／受信機は、ＱＯおよび／または指向性ビーム較正を要求することができる。送信機／受信機は、例えば、ＱＯビームを使用するチャネル推定フレーム信号の第１のセット、および指向性ビームを使用するチャネル推定フレーム信号の第２のセットを用いて、１つまたは複数のチャネル推定フレーム信号を送信／受信することができる。送信機／受信機は、ＱＯビームと指向性ビームとの間のチャネル利得の差を推定することができる。チャネル利得の差は、例えば、図３０と関連付けられた、ビーム適応の間に、使用されることができる。
【０１３１】
図３０は、ＳＴＡ固有のペナルティ較正のための例示的なフレーム３０００である。ＳＴＡ固有のペナルティ較正フレーム３０００は、ＱＯ較正セットアップフィールド３００２、ＱＯビームＣＥＦフィールド３００４、および／またはビームＣＥＦフィールド３００６を含むことができる。
【０１３２】
図３１は、ビームスイープペナルティ較正のための例示的なフレーム３１００である。例えば、ＡＰは、ＡＰがＱＯビームを使用して送信することができる、ビームスイープを実行することができる。ＡＰは、関連付けられたＳＴＡによって選択されたビームを通して、スイープすることができる。ビームスイープは、ＳＴＡ固有のビームスイープペナルティ較正と比較されたとき、オーバヘッドを低減させることができる。ビームスイープペナルティ較正フレーム３１００は、ＱＯ較正セットアップフィールド３１０２、ＱＯビームＣＥＦフィールド３１０４、ビーム１ＣＥＦフィールド３１０６、ビーム２ＣＥＦフィールド３１０８、および／またはビーム３ＣＥＦフィールド３１１０を含むことができる。
【０１３３】
測定フェーズは、受信機におけるＱＯビームを用いてｅＳＬＳまたはｅＢＲＰフェーズにおいて選択された送信ビームのスイープを含むことができる。
【０１３４】
図３２は、ＱＯ受信を用いる例示的なＴｘ−ＲＸペアである。Ｔｘは、ｅＳＬＳおよび／またはｅＢＲＰにおいて発見および／または選択されたビームに設定されることができる。送信機３２１０は、１つまたは複数の送信ビームペアを介して、送信することができる。例えば、送信機３２１０は、Ｔｘビームペア１  ３２１２、Ｔｘビームペア２  ３２１４、および／またはＲｘビームペア３  ３２１６を介して、送信することができる。受信機３２２０は、ＱＯビーム３２２２を介して、受信することができる。
【０１３５】
送信ビームだけに関するビームメトリックは、選択された送信機−受信機ビームペアに関するビームメトリックに相関すると仮定されることができる。そのため、最良の送信機ビームについての知識は、最良のビームペアについての知識を示すことができる。受信機におけるＱＯビームを用いるｅＳＬＳまたはｅＢＲＰフェーズにおいて選択された送信機ビームのスイープは、例えば、順次測定のケースにおけるＭＩＭＯモード適応のための測定のせいで、待ち時間の削減をもたらすことができる。受信機におけるＱＯビームを用いるｅＳＬＳまたはｅＢＲＰフェーズにおいて選択された送信機ビームのスイープは、アップリンク測定において、使用されることができる。
【０１３６】
受信機におけるＱＯビームを用いるｅＳＬＳまたはｅＢＲＰフェーズにおいて選択された送信機ビームのスイープは、ペナルティ較正を必要とすることがある。
【０１３７】
ＭＩＭＯ適応は、アナログｍｍ波システムにおいて、実行されることができる。以下のうちの１つまたは複数が、実行されることができる。
【０１３８】
１つまたは複数のＴｘ／Ｒｘビームは、エンハンスドＳＬＳおよび／またはエンハンスドＢＲＰを使用して、セットアップされていることができる。送信機は、ＭＩＭＯモード測定を開始することができる。送信機は、ＭＩＭＯモード測定と関連付けられた、ＭＩＭＯモード測定セットアップフレームを送信することができる。ＭＩＭＯモード測定セットアップフレームは、所望の受信機、可能なモード、および／またはビームの数などのパラメータなどを示すことができる。例えば、ＭＩＭＯモード測定セットアップフレームは、１つまたは複数の送信ビームを示すことができる。ＭＩＭＯモード測定セットアップフレームによって示されることができる可能なモードは、ＭＩＭＯモード、偏波モード、および／またはＯＦＤＭＡモードを含むことができる。ＭＩＭＯモード測定セットアップフレームは、（例えば、図２８において示される例示的なスタンドアロン順次測定フレームなど）スタンドアロンフレームであることができる。ＭＩＭＯモード測定セットアップフレームが、スタンドアロンフレームであるとき、例えば、受信ＳＴＡが、モード測定セットアップフレームペンディングが存在すると知ることを保証するために、測定アナウンスメントフレームが、使用されることができる。ＭＩＭＯモード測定セットアップフレームは、（例えば、図２４、図２５、および／または図２６などにおける）制御トレーラ内におけるデータ送信に追加されることができる。ＭＩＭＯモード測定セットアップフレームが、制御トレーラ内におけるデータ送信に追加されるとき、アナウンスメントが、データ送信フレームのプリアンブル内に含まれることができる。
【０１３９】
受信機ＳＴＡは、測定を準備するために、受信モードに切り換わることができる。例えば、受信機は、ＭＩＭＯモード測定セットアップフレームによって示された１つまたは複数のモードを有効にすることができる。例においては、構成可能なダミー送信（例えば、ダミー信号）が、モード測定フレームセットアップと、測定系列との間に含まれることができる。構成可能なダミー送信は、受信機ＳＴＡが、それのビームを正しい物理的受信機モードに切り換えることを可能にすることができる。正しい物理的受信機モードは、ＭＩＭＯモード測定セットアップフレームに基づいて、決定されることができる。ダミー送信は、受信機が、ＭＩＭＯモード測定セットアップフレームによって示された１つまたは複数のモードを有効にすることができるように、構成されることができる。（例えば、構成可能なダミー送信の）ギャップ持続時間が、フレームのプリアンブル内において、送信されることができる。
【０１４０】
受信機（例えば、受信機ＳＴＡ）は、測定タイプに応じて、最良のビームおよび／またはビームペアを測定することができる。例えば、受信機は、ＭＩＭＯモード測定セットアップフレームによって示された１つまたは複数の送信ビームを測定することができる。受信機は、トレーニング期間の間に、送信ビームを測定することができる。
【０１４１】
受信機は、フィードバック情報を送信機に送信することができる。フィードバック情報は、例えば、各アナログビームについての、メトリックに基づくことができる。フィードバック情報は、トレーニング期間と関連付けられることができる。例えば、フィードバック情報は、トレーニング期間の間に測定された１つまたは複数の送信ビームについて、送信されることができる。フィードバック情報は、使用するＭＩＭＯモードを示すことができる。フィードバック情報は、各ビームについてのメトリック（例えば、必要とされるＳＮＲ／ＲＳＳＩ）を示すことができる。送信機は、フィードバック情報に基づいて、ＭＩＭＯモード切り換え決定を行うことができる。
【０１４２】
送信機は、ＭＩＭＯセットアップフレームを受信機に送信することができる。ＭＩＭＯセットアップフレームは、所望の送信をセットアップするために、示すことができる。送信機は、ＭＩＭＯ送信を送信することができる。受信機は、例えば、ＭＩＭＯ送信の受信が成功したときに、ＡＣＫフレームを送信機に送信することができる。
【０１４３】
図３３は、すべてのＰＡがすべての重みによって作動させられる、例示的なハイブリッドアーキテクチャである。送信機３３０２は、（例えば、ＰＡ３３０４、３３０６など）２つ以上のＰＡを介して、異なる重みを有することができる複数のストリームを送信することができる。例えば、各ＰＡは、複数のストリームを送信するために、使用されることができる。ＰＡ３３０４およびＰＡ３３０６は、各々、複数のストリームの異なる重みによって作動させられることができる。受信機３３５２は、（低ノイズ増幅器（ＬＮＡ）３３５４、３３５６など）２つ以上のＬＮＡを介して、１つまたは複数のストリームを受信することができる。
【０１４４】
図３４は、異なるＰＡが別々の重みによって作動させられる、例示的なハイブリッドアーキテクチャである。送信機３４０２は、別々のＰＡを介して、異なる重みを有するストリームを送信することができる。例えば、第１のストリームの第１の重みは、第１のＰＡ３４０４を介して、送信されることができる。第１のストリームの第２の重みは、第２のＰＡ３４０６を介して、送信されることができる。第２のストリームの第３の重みは、第３のＰＡ３４０８を介して、送信されることができる。第２のストリームの第４の重みは、第４のＰＡ３４１０を介して、送信されることができる。受信機３４５２は、別々のＬＮＡを介して、異なる重みを有するストリームを受信することができる。例えば、各ＬＮＡは、ある重みを有するストリームを受信するように構成されることができる。第１のストリームの第１の重みは、第１のＬＮＡ３４５４を介して、受信されることができる。第１のストリームの第２の重みは、第２のＬＮＡ３４５６を介して、受信されることができる。第２のストリームの第３の重みは、第３のＬＮＡ３４５８を介して、受信されることができる。第２のストリームの第４の重みは、第４のＬＮＡ３４６０を介して、受信されることができる。
【０１４５】
送信機および／または受信機は、ビーム探索アルゴリズムを使用することができる。ビーム探索アルゴリズムは、エンハンスドセクタレベルスイープおよび／またはエンハンスドビーム精緻化を含むことができる。送信機および／または受信機は、ビーム探索アルゴリズムを使用して、デバイス間における１つまたは複数の最良の送信／受信ビームペアを識別することができる。送信機および／または受信機は、識別されたビームペアを固定することができる。チャネルは、アナログビームに基づいて、有効なデジタルチャネルからの情報を使用して、推定されることができる。最適なアナログ−デジタルプリコーダペアは、有効なデジタルチャネルからの情報を使用して、決定されることができる。
【０１４６】
送信フェーズの一般化されたモデルは、
ｙ＝Ｈ・ＦRF・ＦBB・ｘ
と表されることができ、ｙは、いずれの受信機処理よりも前の、受信信号であり、Ｈは、チャネルであり、ＦRFは、アナログプリコーダであり、ＦBBは、ベースバンドプリコーダであり、ｘは、送信信号である。送信フェーズの一般化されたモデルは、
【０１４７】
【数５】
2019527514.tif 000007
【０１４８】
とさらにモデル化され、ｆａ1は、ｅＳＬＳまたはｅＢＲＰによって事前選択された、ＲＦプリコーダ（ＦRF）の第ｉのアナログビームを表すベクトルであり、ｆｄは、デジタルプリコーダ（ＦBB）を表す行列の要素であり、ｘiは、第ｉのビーム上におけるデータストリームであり、ｎは、ビームの総数であり、
【０１４９】
【数６】
2019527514.tif 000008
【０１５０】
は、電力正規化係数である。フルプリコーダは、ビーム選択、ビームローディング、オープンループおよびクローズドループＭＩＭＯ空間多重化、ならびに／またはダイバーシティを含む、デジタル領域における完全な柔軟性を可能にすることができる。
【０１５１】
デジタルＭＩＭＯ測定およびモード適応は、アナログビームの前に、ベースバンドプリコーディングを実行することを含むことができ、それは、アナログだけの方法とは異なることができる。チャネル状態情報は、正確または部分的であることができる。
【０１５２】
デジタルＭＩＭＯ測定およびモード適応は、以下のうちの１つまたは複数を含むことができる。
【０１５３】
Ｔｘ／Ｒｘビームは、エンハンスドＳＬＳおよび／またはエンハンスドＢＲＰを使用して、セットアップされていることが仮定されることができる。送信機（例えば、送信機ＡＰ）、および受信機（例えば、受信機ＳＴＡ）は、ビームフォーミングモードに留まっている。送信機は、直交ＣＥＦを有するＮ＿ｔｒａｎｓｍｉｔ＿ｂｅａｍチャネル推定フレームを送信することができる。受信機は、Ｔｘ／Ｒｘ  ＭＩＭＯチャネルを推定することができる。受信機は、ＭＩＭＯモードを推定することができる。ハイブリッドビームフォーミングを用いる場合、フルランク送信ＭＩＭＯモード、および／または非フルランク送信ＭＩＭＯモードが、使用されることができる。
【０１５４】
フルランク送信ＭＩＭＯモードは、スループット強化のために、使用されることができる。フルランク送信は、クローズドループおよび／またはオープンループ送信を含むことができる。クローズドループにおいては、プリコーダは、完全なチャネル状態情報に基づいて、設計されることができる。完全なチャネル状態情報は、送信機へのＣＳＩのフィードバック、および／または送信機への設計されたプリコーダのフィードバックに基づくことができる。オープンループにおいては、ＣＳＩは、必要とされないことがある。オープンループ送信は、単純な空間加重化、またはＣＳＤを用いるダイバーシティおよび多重化のハイブリッドを含むことができる。
【０１５５】
非フルランク送信ＭＩＭＯモードにおいては、データストリームの数は、ビームの数よりも少ないことができ、それは、例えば、経路が妨害されたときに、ロバストな送信のために使用されることができる。非フルランク送信は、（例えば、完全なＣＳＩを用いる）クローズドループ送信、ＳＴＢＣもしくはＣＳＤもしくはオープンループプリコーディングなど、ダイバーシティプリコーディングを用いるオープンループ送信、および／または部分的ＣＳＩを使用するアンテナ／ＰＡＡ／偏波選択を含むことができる。
【０１５６】
受信機は、例えば、有効なデジタルチャネルに基づいて、要求された特定のＭＩＭＯモードを示すフィードバックを、送信機に送信することができる。フィードバックは、明示的なチャネルを示すことができ、送信機は、使用するＭＩＭＯモードを選択することができる。送信機は、ＭＩＭＯセットアップフレームを受信機に送信することができる。ＭＩＭＯセットアップフレームは、所望の送信をセットアップすることができる。送信機は、ＭＩＭＯ送信を送信することができる。受信機は、例えば、ＭＩＭＯ送信の受信が成功したときに、ＡＣＫフレームを送信することができる。
【０１５７】
プロトコルベースのＭＩＭＯ測定およびモード適応が、アナログおよびハイブリッド構造によって、使用されることができる。ランク適応および／またはＭＩＭＯ方式選択は、ビームまたはストリーム上におけるＡＣＫの非存在または存在に基づくことができる。ＭＩＭＯモード適応は、異なる送信−受信ビームペア上におけるリンク適応に組み込まれることができる。例えば、リンク適応が、チャネルによってサポート可能なＭＣＳをゼロに落としたとき、ビームペアは、オン／オフにされることができる。非プロトコルベースのＭＩＭＯ測定およびモード適応リンク適応は、リンクＭＣＳを、サポート可能な最小ＭＣＳ（例えば、ＢＰＳＫレート１／２）に落とすことができる。衝突から生じた失敗は、弱い信号から生じた失敗から区別されることができる。
【０１５８】
プロトコルベースのＭＩＭＯ測定およびモード適応は、以下のうちの１つまたは複数を含むことができる。
【０１５９】
Ｔｘ／Ｒｘビームは、ｅＳＬＳおよび／またはｅＢＲＰを使用して、セットアップされていると仮定されることができる。ＭＩＭＯデータ送信は、例えば、選択された送信−受信ビームペアに基づいて、進行中であると仮定されることができる。各Ｔｘ−Ｒｘビームペアは、独立して、それのＭＣＳを適応させることができる。例えば、ＭＣＳレベルは、受信されたＡＣＫの数に基づいて、調整されることができる（例えば、フレームロスＭＣＳ適応(frame loss MCS adaptation)ベース）。非送信ＭＣＳは、可能なＭＣＳのリストに追加されることができる。最小ＭＣＳの失敗は、設定された時間の量にわたって、ビームをオフにすることを生じさせることができる。設定されたチームの量にわたってビームをオフにすることは、プロトコルベースのビーム選択を実行することを含むことができる。ビーム上における送信の再開は、タイマの満了に基づくことができる（例えば、最も低いＭＣＳは、ある時間の量が経過した後、送信されることができる）。経過させる時間は、パラメータ化されることができる。ビーム上における送信の再開は、ＭＣＳ要求フレームに基づくことができる。ＭＣＳ要求フレームは、所望のＭＣＳを要求するために、送信機から受信機に送信されることができる。ＭＣＳ要求フレームは、ビーム固有であることができ、またはすべてのビームのための要求であることができる。ＭＣＳ要求フレームは、プリアンブル内において、データ送信の間に、または制御トレーラ内において、送信されることができる。
【０１６０】
ダミー送信が、チャネルボンディングを用いて、送信されることができる。例えば、ＡＰが、セカンダリチャネル上における受信のためにそれだけが利用可能なＳＴＡ（例えば、ＳＴＡｘ）にデータを送信しているとき、プライマリチャネル上において、有効またはダミーフレームが、送信されることができる。
【０１６１】
有効なフレームは、それのプライマリチャネルがビジーではない、別のＳＴＡへのフレームであることができる。
【０１６２】
ダミーフレームは、フレーム／ＴＸＯＰ長を伝達するプリアンブルを有するＮＤＰフレームであることができ、プライマリチャネル上においてＡＰに送信することを意図するＳＴＡは、その持続時間の間、プライマリチャネル上においてビジーであることを示すＣＣＡを有する。
【０１６３】
ダミーフレームは、ダミーフレームの送信機への送信については、ネットワーク割り当てベクトル（ＮＡＶ）／ＴＸＯＰ／フレーム持続時間が、条件次第であることを示すことができる。他のＢＳＳ内における送信、またはダミーフレームの送信機への送信ではない送信については、ＮＡＶは、適用されないことがある。
【０１６４】
ダミーフレームによって示されるＮＡＶ／ＴＸＯＰ／フレーム持続時間は、示されたＮＡＶ／ＴＸＯＰ／フレーム持続時間によって示される時間前に、プライマリチャネル上における他のＳＴＡによる送信が終了することを要求することができる。ＡＰ／ＰＣＰは、セカンダリチャネル上における送信の後、プライマリチャネルのＴＸＯＰ設定／保持者について、不確実性を有さないことができる。
【０１６５】
選択されたチャネル上におけるＳＴＡｘに対するプリアンブルは、実際のデータ送信が、ＳＴＡｘによってＣＣＡアイドルとして示されたチャネルのサブセットであることを示すことができる。
【０１６６】
２つのＳＴＡ、例えば、ＥＤＭＧ  ＡＰ／ＰＣＰおよびＥＤＭＧ  ＳＴＡは、送信／受信モードを適応させることができる。送信および／または受信モードは、ＭＩＭＯモード、偏波モード、および／またはＯＦＤＭＡモードを含むことができる。
【０１６７】
図３５は、例示的なＴｘ／Ｒｘモード変更要求フレーム３５００である。（例えば、ＥＤＭＧ  ＡＰ／ＰＣＰを含む）ＳＴＡは、１つまたは複数のＥＤＭＧ  ＳＴＡが、１つまたは複数のＥＤＭＧ  ＳＴＡと要求ＳＴＡとの間の送信モードおよび／または受信モードを変更することを要求するために、Ｔｘ／Ｒｘモード変更要求フレーム３５００を使用することができる。送信モードおよび／または受信モードは、ＭＩＭＯモード、偏波モード、および／またはＯＦＤＭＡモードを含むことができる。ＳＴＡは、受信ＳＴＡから受信したトレーニングフィードバックに基づいて、Ｔｘ／ＲＸモード変更要求フレーム３５００を送信することができる。Ｔｘ／Ｒｘモード変更要求フレーム３５００は、例えば、ＭＩＭＯモード測定セットアップフレームによって開始された、１つまたは複数のモードのモード変更を示すように構成されることができる。
【０１６８】
Ｔｘ／Ｒｘモード変更要求フレーム３５００は、プリアンブル３５０２、ＭＡＣヘッダ３５０４、および／またはフレームボディ３５０６内に、以下のフィールドのうちの１つまたは複数を含むことができる。Ｔｘ／Ｒｘモード変更要求フレーム３５００は、ＳＴＡフィールド数３５１２を含むことができる。ＳＴＡフィールド数３５１２は、Ｔｘ／Ｒｘモード変更要求フレーム３５００内に含まれる、ＳＴＡ情報フィールドの数を示すことができる。Ｔｘ／Ｒｘモード変更要求フレーム３５００は、１つまたは複数のＳＴＡ情報フィールドを含むことができる。例えば、Ｔｘ／Ｒｘモード変更要求フレーム３５００は、ＳＴＡ１情報フィールド３５１４Ａ、ＳＴＡ２情報フィールド３５１４Ｂ、および／またはＳＴＡ  Ｎ情報フィールド３５１４Ｃを含むことができる。ＳＴＡ情報フィールドは、ＳＴＡフィールド数３５１２内において示されるＮ個のＳＴＡについての情報を含むことができる。各ＳＴＡ情報フィールドは、ＭＩＭＯモード、偏波モード、および／またはＯＦＤＭＡモードについての情報を含むことができる。例えば、各ＳＴＡ情報フィールドは、ＭＩＭＯモードサブフィールド、偏波モードサブフィールド、および／またはＯＦＤＭＡモードサブフィールドを含むことができる。
【０１６９】
ＳＴＡ１情報フィールド３５１４Ａは、ＭＩＭＯモードサブフィールド３５２２Ａ、偏波モードサブフィールド３５２４Ａ、ＯＦＤＭＡモードサブフィールド３５２６Ａ、トレーニングサブフィールド３５２８Ａ、および／または時間サブフィールド３５３０Ａを含むことができる。ＭＩＭＯモードサブフィールド３５２２Ａは、ＭＩＭＯモード変更を示すことができる。例えば、ＭＩＭＯモードサブフィールド３５２２Ａは、（例えば、ＭＩＭＯモード測定セットアップフレームによって開始された）現在のＭＩＭＯモードからの変更を示すことができる。偏波モードサブフィールド３５２４Ａは、偏波モード変更を示すことができる。例えば、偏波モードサブフィールド３５２４Ａは、（例えば、ＭＩＭＯモード測定セットアップフレームによって開始された）現在の偏波モードからの変更を示すことができる。ＯＦＤＭＡモードサブフィールド３５２６Ａは、ＯＦＤＭＡモード変更を示すことができる。例えば、ＯＦＤＭＡモードサブフィールド３５２６Ａは、（例えば、ＭＩＭＯモード測定セットアップフレームによって開始された）現在のＯＦＤＭＡモードからの変更を示すことができる。
【０１７０】
ＭＩＭＯモードにおいて、ＳＴＡ情報フィールドは、追加／削除フィールド（例えば、サブフィールド）を含むことができる。追加／削除フィールドは、ＭＩＭＯモードが追加されるように要求されたか、それとも削除されるように要求されたかを示すことができる。ＭＩＭＯモードにおいて、ＳＴＡ情報フィールドは、Ｔｘ／Ｒｘフィールドを含むことができる。Ｔｘ／Ｒｘフィールドは、Ｔｘおよび／またはＲｘのために、ＭＩＭＯモードが追加されるように要求されたか、それとも削除されるように要求されたかを示すために使用されることができる。ＭＩＭＯモードにおいて、ＳＴＡ情報フィールドは、ＳＵ／ＭＵフィールドを含むことができる。ＳＵ／ＭＵフィールドは、ＳＵおよび／またはＭＵ  ＭＩＭＯモードが追加されるように要求されたか、それとも削除されるように要求されたかを示すことができる。ＭＩＭＯモードにおいて、ＳＴＡ情報フィールドは、最大ストリーム数フィールドを含むことができる。最大ストリーム数フィールドは、追加または削除されることが予想されるストリームの最大数を示すことができる。最大ストリーム数フィールドは、Ｔｘ／Ｒｘモード変更後に使用されることが予想されるストリームの最大数を示すことができる。
【０１７１】
偏波モードにおいて、ＳＴＡ情報フィールドは、追加／削除フィールド（例えば、サブフィールド）を含むことができる。追加／削除フィールドは、偏波モードが追加されるように要求されたか、それとも削除されるように要求されたかを示すことができる。偏波モードにおいて、ＳＴＡ情報フィールドは、Ｔｘ／Ｒｘフィールドを含むことができる。Ｔｘ／Ｒｘフィールドは、Ｔｘおよび／またはＲｘのために、偏波モードが追加されるように要求されたか、それとも削除されるように要求されたかを示すことができる。偏波モードにおいて、ＳＴＡ情報フィールドは、偏波タイプフィールドを含むことができる。偏波タイプフィールドは、追加または削除されるように要求された１つまたは複数の偏波を示すことができる。例えば、直線、円、混合など、１つまたは複数の偏波タイプを示すために、ビットマップが、使用されることができる。例えば、既存の座標系に関する、または現在の偏波、例えば、現在のフレームを送信するために使用される現在の偏波に関する、オイラ角（例えば、α、β、γ）を含む、１つまたは複数のフィールドは、追加または削除されるように要求された１つまたは複数の偏波タイプを示すために、使用されることができる。
【０１７２】
ＯＦＤＭＡモードにおいて、ＳＴＡ情報フィールドは、追加／削除フィールド（例えば、サブフィールド）を含むことができる。追加／削除フィールドは、ＯＦＤＭＡモードが追加されるように要求されたか、それとも削除されるように要求されたかを示すことができる。ＯＦＤＭＡモードにおいて、ＳＴＡ情報フィールドは、Ｔｘ／Ｒｘフィールドを含むことができる。Ｔｘ／Ｒｘフィールドは、Ｔｘおよび／またはＲｘのために、ＯＦＤＭＡモードが追加されるように要求されたか、それとも削除されるように要求されたかを示すことができる。ＯＦＤＭＡモードにおいて、ＳＴＡ情報フィールドは、後方互換性フィールドを含むことができる。後方互換性フィールドは、ＯＦＤＭＡ送信モードが後方互換であるべきかどうか、例えば、ＯＦＤＭＡフレームの送信、またはプリアンブルの送信が、１１ａｄチャネルマスク、および／またはプリアンブル定義に従うべきかどうかを示すことができる。ＯＦＤＭＡモードにおいて、ＳＴＡ情報フィールドは、帯域幅フィールドを含むことができる。帯域幅フィールドは、ＯＦＤＭＡ送信が使用すべき帯域幅を示すことができる。帯域幅フィールドは、帯域幅の割り当てを示すことができる。
【０１７３】
ＳＴＡ情報フィールドは、（例えば、トレーニングサブフィールド３５２８Ａなど）トレーニングフィールドを含むことができる。トレーニングフィールドは、トレーニングが、ＭＩＭＯモード、偏波モード、および／またはＯＦＤＭＡモードなどの送信モードのいずれのために要求されたかを示すことができる。例えば、トレーニングフィールドは、モード変更と関連付けられたトレーニング期間を開始する、トレーニングイニシエータを含むことができる。トレーニングフィールドは、トレーニング期間についてのスケジューリング情報を含むことができる。
【０１７４】
ＳＴＡ情報フィールドは、（例えば、時間サブフィールド３５３０Ａなど）時間フィールドを含むことができる。時間フィールドは、要求されたトレーニング、および／または（例えば、ＭＩＭＯモード、偏波モード、および／またはＯＦＤＭＡモードの変更など）送信モード変更が、いつ有効になるかを示すことができる。
【０１７５】
Ｔｘ／Ｒｘモード変更要求フレーム３５００は、１つまたは複数のトレーニング信号を含むことができる。１つまたは複数のトレーニング信号は、プリアンブル内のフィールド、例えば、１つまたは複数のＥＤＭＧ−ＣＥＦであることができる。１つまたは複数のトレーニング信号は、受信ＳＴＡが、Ｔｘ／Ｒｘモード変更要求フレーム３５００内において要求された送信モードの変更のうちの１つまたは複数のために、トレーニングを行うことを可能にすることができる。
【０１７６】
図３６は、例示的なＴｘ−ＲＸモード変更応答フレーム３６００である。（例えば、図３５に示されるＴｘ／Ｒｘモード変更要求フレーム３５００など）Ｔｘ／Ｒｘモード変更要求フレームを受信したとき、ＳＴＡ（例えば、ＥＤＭＧ  ＳＴＡ）は、Ｔｘ／Ｒｘモード変更応答フレーム３６００を用いて応答することができる。Ｔｘ／Ｒｘモード変更応答フレーム３６００は、トレーニングに対するフィードバックを含むことができ、および／または１つまたは複数の受信されたＴｘ／Ｒｘモード変更要求についての結果を示すことができる。
【０１７７】
Ｔｘ／Ｒｘモード変更応答フレーム３６００は、プリアンブル３６０２、ＭＡＣヘッダ３６０４、および／またはフレームボディ３６０６内に、以下のフィールドのうちの１つまたは複数を含むことができる。
【０１７８】
Ｔｘ／Ｒｘモード変更応答フレーム３６００は、ＭＩＭＯモード応答フィールド３６１２を含むことができる。ＭＩＭＯモード応答フィールド３６１２は、例えば、成功、失敗、または代替モードなど、ＭＩＭＯモード変更要求のステータスを示すことができる。代替モードのケースにおいては、ＭＩＭＯモード応答フィールド３６１２は、最大ストリーム数を示すことができる。
【０１７９】
Ｔｘ／Ｒｘモード変更応答フレーム３６００は、偏波モード応答フィールド３６１４を含むことができる。偏波モード応答フィールド３６１４は、例えば、成功、失敗、または代替モードなど、偏波モード変更要求のステータスを示すことができる。代替モードのケースにおいては、偏波モード応答フィールド３６１４は、直線、円、混合などを示す、ビットマップによって示されることができる、偏波モードを示すことができる。偏波モードは、知られた座標系に関する、または使用されるべき現在の偏波モードに関する、オイラ角によって示されることができる。
【０１８０】
Ｔｘ／Ｒｘモード変更応答フレーム３６００は、ＯＦＤＭＡモード応答フィールド３６１６含むことができる。ＯＦＤＭＡモード応答フィールド３６１６は、例えば、成功、失敗、または代替モードなど、ＯＦＤＭＡモード変更要求のステータスを示すことができる。代替モードのケースにおいては、追加／削除されるべきＯＦＤＭＡモードが、ＯＦＤＭＡモード応答フィールド３６１６内において示されることができる。
【０１８１】
Ｔｘ／Ｒｘモード変更応答フレーム３６００は、トレーニングフィードバックフィールド３６１８を含むことができる。トレーニングフィードバックフィールド３６１８は、Ｔｘ／Ｒｘモード変更に関連するトレーニングについてのフィードバックを含むことができる。例えば、トレーニングフィードバックフィールド３６１８は、Ｔｘ／Ｒｘモード変更要求フレームを介して示されていることができるＴｘ／Ｒｘモード変更と関連付けられた、トレーニング期間の間における１つまたは複数の送信ビームと関連付けられた、トレーニングフィードバックを含むことができる。
【０１８２】
Ｔｘ／Ｒｘモード変更応答フレーム３６００は、時間フィールド３６２０を含むことができる。時間フィールド３６２０は、Ｔｘ／Ｒｘモード変更が生じることができる時間を示すことができる。
【０１８３】
Ｔｘ／Ｒｘモード変更要求フレームおよび／もしくはＴｘ／Ｒｘモード変更応答フレーム、またはフィールドおよび／もしくはサブフィールドの任意のセットもしくはサブセットは、アクションフレーム、ＡＣＫなしアクションフレーム、ならびに／または管理、制御、ＮＤＰ、ショート、データ、および拡張フレーム、例えば、ＰＨＹおよびＭＡＣヘッダの情報要素、要素、またはいずれかの部分として実行されることができる。例えば、Ｔｘ／Ｒｘモード要求は、１つまたは複数のＳＴＡに対してＴｘ／Ｒｘモード変更を要求するために、（ショート）ビーコンフレーム内に含まれることができる。
【０１８４】
Ｔｘ／Ｒｘモード適応は、以下のうちの１つまたは複数を含むことができる。
【０１８５】
ＳＴＡ、例えば、ＥＤＭＧ  ＳＴＡ、またはＥＤＭＧ  ＡＰ／ＰＣＰは、例えば、Ｔｘ／Ｒｘモード変更要求フレームを送信することによって、別のＳＴＡに、それのＴｘ／Ｒｘモードを変更するように要求することができる。ＳＴＡは、ブロードキャスト／マルチキャストフレーム内において、例えば、（ショート）ビーコンフレーム内などにおいて、１つまたは複数のＳＴＡに、それらのＴｘ／Ｒｘモードを変更するように要求することができる。ＳＴＡは、別のＳＴＡに送信される集約されたフレーム内にＴｘ／Ｒｘモード変更要求フレームを含めることによって、１つまたは複数のＳＴＡに、それらのＴｘ／Ｒｘモードを変更するように要求することができる。集約されたフレームは、１つまたは複数の管理、制御、データ、および／または拡張フレームを含むことができる。
【０１８６】
要求ＳＴＡは、Ｔｘ／Ｒｘモード変更フレームの一部として、要求されるＴｘ／Ｒｘモード変更のための１つまたは複数のトレーニングフィールドを含めることができる。例えば、Ｔｘ／Ｒｘモード変更フレームは、Ｔｘ／Ｒｘモード変更と関連付けられた、トレーニングセッションを示すことができる。要求ＳＴＡは、Ｔｘ／Ｒｘモード変更要求フレームを送信する前に、要求されるＴｘ／Ｒｘモード変更のためのトレーニングセッションを行っていることができる。要求ＳＴＡは、Ｔｘ／Ｒｘモード変更要求フレーム内において、Ｔｘ／Ｒｘモード変更を決定するために必要とされる、トレーニングセッションについてのスケジューリング情報を提供することができる。
【０１８７】
要求ＳＴＡは、ＳＵおよびＭＵモードを含む、Ｔｘ／Ｒｘ  ＭＩＭＯモード、最大ストリームの数、および／またはＰＡＡ／アンテナの数の使用についての変更を要求することができる。要求ＳＴＡは、例えば、偏波タイプを追加または削除するなど、偏波モードについての変更を要求することができる。要求ＳＴＡは、例えば、Ｔｘ／Ｒｘモード変更要求フレームを送信するために使用される偏波タイプに関する、または知られた座標系に関する、オイラ角または他の任意の方法によって示される、特定の偏波タイプを含むことができる。要求ＳＴＡは、例えば、ＯＦＤＭＡ送信についての帯域幅、後方互換性モードなど、ＯＦＤＭＡモードについての変更を要求することができる。
【０１８８】
トレーニングフレーム、および／またはＴｘ／Ｒｘモード変更要求フレームを受信した後、受信ＳＴＡは、トレーニングフレーム、および／またはＴｘ／Ｒｘモード変更要求フレームのトレーニング部分に対するフィードバックを提供することができる。受信ＳＴＡは、ＭＩＭＯモード、偏波モード、および／またはＯＦＤＭＡモードの要求された変更に対する１つまたは複数の応答を提供することができる。受信ＳＴＡが、要求ＳＴＡによって要求された変更の代わりの変更を提案することに決定した場合、受信ＳＴＡは、Ｔｘ／Ｒｘモード変更応答フレーム内において、そのような代わりの変更を提供することができる。受信ＳＴＡは、Ｔｘ／Ｒｘモードの変更が生じることができる時間を提供することができる。時間は、Ｔｘ／Ｒｘモード変更要求フレーム内に含まれる、要求ＳＴＡによって提案されたものと同じであることができる。
【０１８９】
要求ＳＴＡおよび受信ＳＴＡは、（例えば、Ｔｘ／Ｒｘモード変更要求および／または応答フレーム内において示された時間に）それらのＴｘ／Ｒｘモードを合意されたように適応させることができる。
【０１９０】
本発明の特徴および要素は、特定の組み合わせで説明されるが、各特徴または要素は、他の特徴および要素を伴わずに単独で、または他の特徴および要素を伴うもしくは伴わない様々な組み合わせで、使用されることができる。
【０１９１】
本明細書において説明されるソリューションは、８０２．１１固有のプロトコルを考慮しているが、本明細書において説明されるソリューションは、このシナリオに制限されず、他の無線システムにも同様に適用可能であることが理解される。
【０１９２】
図３７Ａは、例示的な無線ローカルエリアネットワーク（ＷＬＡＮ）デバイスを示している。デバイスのうちの１つまたは複数は、本明細書において説明される特徴のうちの１つまたは複数を実行するために使用されることができる。ＷＬＡＮは、限定されることなく、アクセスポイント（ＡＰ）１０２と、局（ＳＴＡ）１１０と、ＳＴＡ１１２とを含むことができる。ＳＴＡ１１０、１１２は、ＡＰ１０２と関連付けられることができる。ＷＬＡＮは、ＤＳＳＳ、ＯＦＤＭ、ＯＦＤＭＡなどのチャネルアクセス方式を含むことができる、ＩＥＥＥ８０２．１１通信規格の１つまたは複数のプロトコルを実行するように構成されることができる。ＷＬＡＮは、例えば、インフラストラクチャモード、アドホックモードなどのモードで、動作することができる。
【０１９３】
インフラストラクチャモードで動作するＷＬＡＮは、１つまたは複数の関連付けられたＳＴＡと通信する、１つまたは複数のＡＰを含むことができる。ＡＰ、およびＡＰと関連付けられたＳＴＡは、基本サービスセット（ＢＳＳ）を構成することができる。例えば、ＡＰ１０２、ＳＴＡ１１０、およびＳＴＡ１１２は、ＢＳＳ１２２を構成することができる。拡張サービスセット（ＥＳＳ）は、（１つまたは複数のＢＳＳを伴う）１つまたは複数のＡＰと、ＡＰと関連付けられたＳＴＡとを含むことができる。ＡＰは、ディストリビューションシステム（ＤＳ）１１６に対するアクセスおよび／またはインターフェースを有することができ、ＤＳ１１６は、有線および／または無線であることができ、ならびにトラフィックをＡＰに、および／またはＡＰから搬送することができる。ＷＬＡＮ外部から発信された、ＷＬＡＮ内のＳＴＡへのトラフィックは、ＷＬＡＮ内のＡＰにおいて受信されることができ、ＡＰは、トラフィックを、ＷＬＡＮ内のＳＴＡに送信することができる。ＷＬＡＮ内のＳＴＡから発信された、ＷＬＡＮ外部の送信先、例えば、サーバ１１８へのトラフィックは、ＷＬＡＮ内のＡＰに送信されることができ、ＡＰは、サーバ１１８に送信されるトラフィックを、例えば、ネットワーク１１４へのＤＳ１１６を介して、送信先に送信することができる。ＷＬＡＮ内のＳＴＡ間のトラフィックは、１つまたは複数のＡＰを通して送信されることができる。例えば、発信元ＳＴＡ（例えば、ＳＴＡ１１０）は、送信先ＳＴＡ（例えば、ＳＴＡ１１２）に宛てたトラフィックを有することができる。ＳＴＡ１１０は、トラフィックをＡＰ１０２に送信することができ、ＡＰ１０２は、トラフィックをＳＴＡ１１２に送信することができる。
【０１９４】
ＷＬＡＮは、アドホックモードで動作することができる。アドホックモードＷＬＡＮは、独立基本サービスセット（ＩＢＳＳ）と呼ばれることがある。アドホックモードＷＬＡＮにおいては、ＳＴＡは、互いに直接的に通信することができる（例えば、ＳＴＡ１１０は、ＡＰを通してルーティングされるような通信なしに、ＳＴＡ１１２と通信することができる）。
【０１９５】
ＩＥＥＥ８０２．１１デバイス（例えば、ＢＳＳ内のＩＥＥＥ８０２．１１  ＡＰ）は、ビーコンフレームを使用して、ＷＬＡＮネットワークの存在をアナウンスすることができる。ＡＰ１０２などのＡＰは、チャネル上において、例えば、プライマリチャネルなどの固定されたチャネル上において、ビーコンを送信することができる。ＳＴＡは、プライマリチャネルなどのチャネルを使用して、ＡＰとの接続を確立することができる。
【０１９６】
ＳＴＡおよび／またはＡＰは、キャリアセンス多重アクセス／衝突回避（ＣＳＭＡ／ＣＡ）チャネルアクセスメカニズムを使用することができる。ＣＳＭＡ／ＣＡにおいては、ＳＴＡおよび／またはＡＰは、プライマリチャネルをセンスすることができる。例えば、ＳＴＡが、送信するデータを有する場合、ＳＴＡは、プライマリチャネルをセンスすることができる。プライマリチャネルがビジーであることが検出された場合、ＳＴＡは、バックオフすることができる。例えば、ＷＬＡＮまたはそれの部分は、例えば、与えられたＢＳＳ内においては、与えられた時間に、１つのＳＴＡが送信することができるように構成されることができる。チャネルアクセスは、ＲＴＳおよび／またはＣＴＳシグナリングを含むことができる。例えば、送信要求（ＲＴＳ）フレームの交換が送信デバイスによって送信されることができ、受信デバイスによって送信されることができる送信可（ＣＴＳ）フレームとの交換。例えば、ＡＰが、ＳＴＡに送信するデータを有する場合、ＡＰは、ＲＴＳフレームをＳＴＡに送信することができる。ＳＴＡが、データを受信する準備ができている場合、ＳＴＡは、ＣＴＳフレームを用いて応答することができる。ＣＴＳフレームは、ＲＴＳを開始したＡＰがそれのデータを送信することができる間、媒体へのアクセスを差し控えるように、他のＳＴＡに警告することができる、時間値を含むことができる。ＣＴＳフレームをＳＴＡから受信すると、ＡＰは、データをＳＴＡに送信することができる。
【０１９７】
デバイスは、ネットワーク割り当てベクトル（ＮＡＶ）フィールドを介して、スペクトルを確保することができる。例えば、ＩＥＥＥ８０２．１１フレームにおいては、ＮＡＶフィールドは、チャネルを時間期間にわたって確保するために使用されることができる。データを送信したいＳＴＡは、それがチャネルの使用を予期することができる時間になるように、ＮＡＶを設定することができる。ＳＴＡが、ＮＡＶを設定するとき、ＮＡＶは、関連付けられたＷＬＡＮまたはそれのサブセット（例えば、ＢＳＳ）について設定されることができる。他のＳＴＡは、ＮＡＶをゼロまでカウントダウンすることができる。カウンタが、ゼロの値に達したとき、ＮＡＶ機能性は、チャネルが今は利用可能であることを、他のＳＴＡに示すことができる。
【０１９８】
ＡＰまたはＳＴＡなどの、ＷＬＡＮ内のデバイスは、以下のうちの１つまたは複数を、すなわち、プロセッサ、メモリ、（例えば、送受信機内において組み合わされることができる）無線受信機および／または送信機、１つまたは複数のアンテナ（例えば、図３７Ａにおけるアンテナ１０６）などのうちの１つまたは複数を含むことができる。プロセッサ機能は、１つまたは複数のプロセッサを含むことができる。例えば、プロセッサは、汎用プロセッサ、専用プロセッサ（例えば、ベースバンドプロセッサ、ＭＡＣプロセッサなど）、デジタル信号プロセッサ（ＤＳＰ）、特定用途向け集積回路（ＡＳＩＣ）、フィールドプログラマブルゲートアレイ（ＦＰＧＡ）回路、他の任意のタイプの集積回路（ＩＣ）、および状態機械などのうちの１つまたは複数を含むことができる。１つまたは複数のプロセッサは、互いに統合されることができ、または統合されないことができる。プロセッサ（例えば、１つもしくは複数のプロセッサ、またはそれのサブセット）は、１つまたは複数の他の機能（例えば、メモリなどの他の機能）と統合されることができる。プロセッサは、信号符号化、データ処理、電力制御、入力／出力処理、変調、復調、および／またはデバイスが、図３７ＡのＷＬＡＮなど、無線環境において動作することを可能にすることができる他の任意の機能性を実行することができる。プロセッサは、例えば、ソフトウェアおよび／またはファームウェア命令を含む、プロセッサ実行可能コード（例えば、命令）を実行するように構成されることができる。例えば、プロセッサは、プロセッサ（例えば、メモリおよびプロセッサを含むチップセット）またはメモリのうちの１つまたは複数に含まれる、コンピュータ可読命令を実行するように構成されることができる。命令の実行は、本明細書において説明される機能のうちの１つまたは複数をデバイスに実行させることができる。
【０１９９】
デバイスは、１つまたは複数のアンテナを含むことができる。デバイスは、多入力多出力（ＭＩＭＯ）技法を利用することができる。１つまたは複数のアンテナは、無線信号を受信することができる。プロセッサは、例えば、１つまたは複数のアンテナを介して、無線信号を受信することができる。１つまたは複数のアンテナは、（例えば、プロセッサから送られた信号に基づいて）無線信号を送信することができる。
【０２００】
デバイスは、プロセッサ実行可能コードもしくは命令（例えば、ソフトウェア、ファームウェアなど）、電子データ、データベース、または他のデジタル情報など、プログラミングおよび／またはデータを記憶するための１つまたは複数のデバイスを含むことができる、メモリを有することができる。メモリは、１つまたは複数のメモリユニットを含むことができる。１つまたは複数のメモリユニットは、１つまたは複数の他の機能（例えば、プロセッサなどのデバイス内に含まれる他の機能）と統合されることができる。メモリは、リードオンリメモリ（ＲＯＭ）（例えば、消去可能プログラマブルリードオンリメモリ（ＥＰＲＯＭ）、電気的消去可能プログラマブルリードオンリメモリ（ＥＥＰＲＯＭ）など）、ランダムアクセスメモリ（ＲＡＭ）、磁気ディスク記憶媒体、光記憶媒体、フラッシュメモリデバイス、および／または情報を記憶するための他の非一時的コンピュータ可読媒体を含むことができる。メモリは、プロセッサに結合されることができる。プロセッサは、メモリの１つまたは複数のエンティティと、例えば、システムバスを介した通信、直接的な通信などを行うことができる。
【０２０１】
図３７Ｂは、１つまたは複数の開示される特徴が実行されることができる、例示的な通信システム１００の図である。例えば、無線ネットワーク（例えば、通信システム１００の１つまたは複数の構成要素を備える無線ネットワーク）は、無線ネットワークを越えて（例えば、無線ネットワークと関連付けられたウォールドガーデンを越えて）広がるベアラが、サービス品質（ＱｏＳ）特性を割り当てられることができるように構成されることができる。
【０２０２】
通信システム１００は、音声、データ、ビデオ、メッセージング、放送などのコンテンツを複数の無線ユーザに提供する、多元接続システムであることができる。通信システム１００は、複数の無線ユーザが、無線帯域幅を含むシステムリソースの共用を通して、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【０２０３】
図３７Ｂに示されるように、通信システム１００は、複数の無線送受信ユニット（ＷＴＲＵ）、例えば、ＷＴＲＵ１０２ａ、１０２ｂ、１０２ｃ、１０２ｄなど、複数のＷＴＲＵ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されるべきである。ＷＴＲＵ１０２ａ、１０２ｂ、１０２ｃ、１０２ｄの各々は、無線環境において動作および／または通信するように構成された、任意のタイプのデバイスであることができる。例として、ＷＴＲＵ１０２ａ、１０２ｂ、１０２ｃ、１０２ｄは、無線信号を送信および／または受信するように構成されることができ、ユーザ機器（ＵＥ）、移動局（例えば、ＷＬＡＮ  ＳＴＡ）、固定もしくは移動加入者ユニット、ページャ、セルラ電話、パーソナルデジタルアシスタント（ＰＤＡ）、スマートフォン、ラップトップ、ネットブック、パーソナルコンピュータ、無線センサ、および家電製品などを含むことができる。
【０２０４】
通信システム１００は、基地局１１４ａおよび基地局１１４ｂも含むことができる。基地局１１４ａ、１１４ｂの各々は、コアネットワーク１０６、インターネット１１０、および／またはネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインターフェース接続するように構成された、任意のタイプのデバイスであることができる。例として、基地局１１４ａ、１１４ｂは、基地送受信機局（ＢＴＳ）、ノードＢ、ｅノードＢ、ホームノードＢ、ホームｅノードＢ、サイトコントローラ、アクセスポイント（ＡＰ）、および無線ルータなどであることができる。基地局１１４ａ、１１４ｂは、各々が、単一の要素として示されているが、基地局１１４ａ、１１４ｂは、任意の数の相互接続された基地局および／またはネットワーク要素を含むことができることが理解されるべきである。
【０２０５】
基地局１１４ａは、ＲＡＮ１０４の部分であることができ、ＲＡＮ１０４は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、特定の地理的領域内において、無線信号を送信および／または受信するように構成されることができる。セルは、さらにセルセクタに分割されることができる。例えば、基地局１１４ａと関連付けられたセルは、３つのセクタに分割されることができる。したがって、一実施形態においては、基地局１１４ａは、送受信機を３つ、すなわち、セルのセクタ毎に１つずつ含むことができる。別の実施形態においては、基地局１１４ａは、多入力多出力（ＭＩＭＯ）技術を利用することができ、したがって、セルのセクタ毎に複数の送受信機を利用することができる。
【０２０６】
基地局１１４ａ、１１４ｂは、エアインターフェース１１６上において、ＷＴＲＵ１０２ａ、１０２ｂ、１０２ｃ、１０２ｄのうちの１つまたは複数と通信することができ、エアインターフェース１１６は、任意の適切な無線通信リンク（例えば、無線周波（ＲＦ）、マイクロ波、赤外線（ＩＲ）、紫外線（ＵＶ）、可視光など）であることができる。エアインターフェース１１６は、任意の適切な無線アクセス技術（ＲＡＴ）を使用して確立されることができる。
【０２０７】
より具体的には、上で言及されたように、通信システム１００は、多元接続システムであることができ、ＣＤＭＡ、ＴＤＭＡ、ＦＤＭＡ、ＯＦＤＭＡ、およびＳＣ−ＦＤＭＡなどの、１つまたは複数のチャネルアクセス方式を利用することができる。例えば、ＲＡＮ１０４内の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１１６を確立することができる、ユニバーサル移動体通信システム（ＵＭＴＳ）地上無線アクセス（ＵＴＲＡ）などの無線技術を実行することができる。ＷＣＤＭＡは、高速パケットアクセス（ＨＳＰＡ）および／またはＥｖｏｌｖｅｄ  ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【０２０８】
別の実施形態においては、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１６を確立することができる、Ｅｖｏｌｖｅｄ  ＵＭＴＳ地上無線アクセス（Ｅ−ＵＴＲＡ）などの無線技術を実行することができる。
【０２０９】
他の実施形態においては、基地局１１４ａ、およびＷＴＲＵ１０２ａ、１０２ｂ、１０２ｃは、ＩＥＥＥ８０２．１６（すなわち、マイクロ波アクセス用の世界的相互運用性(Worldwide Interoperability for Microwave Access)（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭエボリューション用の高速データレート(Enhanced Data rates for GSM Evolution)（ＥＤＧＥ）、およびＧＳＭ  ＥＤＧＥ（ＧＥＲＡＮ）などの無線技術を実行することができる。
【０２１０】
図３７Ｂにおける基地局１１４ｂは、例えば、無線ルータ、ホームノードＢ、ホームｅノードＢ、またはアクセスポイントであることができ、職場、家庭、乗物、およびキャンパスなどの局所的エリアにおける無線接続性を容易にするために、任意の適切なＲＡＴを利用することができる。一実施形態においては、基地局１１４ｂ、およびＷＴＲＵ１０２ｃ、１０２ｄは、ＩＥＥＥ８０２．１１などの無線技術を実行して、無線ローカルエリアネットワーク（ＷＬＡＮ）を確立することができる。別の実施形態においては、基地局１１４ｂ、およびＷＴＲＵ１０２ｃ、１０２ｄは、ＩＥＥＥ８０２．１５などの無線技術を実行して、無線パーソナルエリアネットワーク（ＷＰＡＮ）を確立することができる。また別の実施形態においては、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図３７Ｂに示されるように、基地局１１４ｂは、インターネット１１０への直接的な接続を有することができる。したがって、基地局１１４ｂは、コアネットワーク１０６を介してインターネット１１０にアクセスするために必要とされないことができる。
【０２１１】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された、任意のタイプのネットワークであることができる。例えば、コアネットワーク１０６は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図３７Ｂには示されていないが、ＲＡＮ１０４および／またはコアネットワーク１０６は、ＲＡＮ１０４と同じＲＡＴまたは異なるＲＡＴを利用する他のＲＡＮと直接的または間接的に通信することができることが理解されるべきである。例えば、Ｅ−ＵＴＲＡ無線技術を利用していることができるＲＡＮ１０４に接続されるのに加えて、コアネットワーク１０６は、ＧＳＭ無線技術を利用する別のＲＡＮ（図示されず）とも通信することができる。
【０２１２】
コアネットワーク１０６は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割も果たすことができる。ＰＳＴＮ１０８は、基本電話サービス(plain old telephone service)（ＰＯＴＳ）を提供する回線交換電話網を含むことができる。インターネット１１０は、伝送制御プロトコル（ＴＣＰ）／インターネットプロトコル（ＩＰ）インターネットプロトコルスイート内のＴＣＰ、ユーザデータグラムプロトコル（ＵＤＰ）、およびＩＰなど、共通の通信プロトコルを使用する、相互接続されたコンピュータネットワークおよびデバイスからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用することができる１つまたは複数のＲＡＮに接続された、別のコアネットワークを含むことができる。
【０２１３】
通信システム１００内のＷＴＲＵ１０２ａ、１０２ｂ、１０２ｃ、１０２ｄのうちのいくつかまたはすべては、マルチモード機能を含むことができ、すなわち、ＷＴＲＵ１０２ａ、１０２ｂ、１０２ｃ、１０２ｄは、異なる無線リンク上で異なる無線ネットワークと通信するための複数の送受信機を含むことができる。例えば、図３７Ｂに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成されることができる。
【０２１４】
図３７Ｃは、例示的な無線送受信ユニット、ＷＴＲＵ１０２を示している。ＷＴＲＵは、ユーザ機器（ＵＥ）、移動局、ＷＬＡＮ  ＳＴＡ、固定もしくは移動加入者ユニット、ページャ、セルラ電話、パーソナルデジタルアシスタント（ＰＤＡ）、スマートフォン、ラップトップ、ネットブック、パーソナルコンピュータ、無線センサ、および家電製品などであることができる。ＷＴＲＵ１０２は、本明細書において説明される通信システムのうちの１つまたは複数において使用されることができる。図３７Ｃに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、他の周辺機器１３８とを含むことができる。ＷＴＲＵ１０２は、実施形態との整合性を保ちながら、上記の要素の任意のサブコンビネーションを含むことができることが理解されるべきである。
【０２１５】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などであることができる。プロセッサ１１８は、信号符号化、データ処理、電力制御、入力／出力処理、および／またはＷＴＲＵ１０２が無線環境において動作することを可能にする他の任意の機能性を実行することができる。プロセッサ１１８は、送受信機１２０に結合されることができ、送受信機１２０は、送信／受信要素１２２に結合されることができる。図３７Ｃは、プロセッサ１１８と送受信機１２０とを別個の構成要素として示しているが、プロセッサ１１８と送受信機１２０とは、電子パッケージまたはチップ内に一緒に統合されることができることが理解されるべきである。
【０２１６】
送信／受信要素１２２は、エアインターフェース１１６上において、基地局（例えば、基地局１１４ａ）に信号を送信し、または基地局から信号を受信するように構成されることができる。例えば、一実施形態においては、送信／受信要素１２２は、ＲＦ信号を送信および／または受信するように構成されたアンテナであることができる。別の実施形態においては、送信／受信要素１２２は、例えば、ＩＲ、ＵＶ、または可視光信号を送信および／または受信するように構成された放射器／検出器であることができる。また別の実施形態においては、送信／受信要素１２２は、ＲＦ信号および光信号の両方を送信および受信するように構成されることができる。送信／受信要素１２２は、無線信号の任意の組み合わせを送信および／または受信するように構成されることができることが理解されるべきである。
【０２１７】
加えて、図３７Ｃにおいては、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１６上において無線信号を送信および受信するための２つ以上の送信／受信要素１２２（例えば、複数のアンテナ）を含むことができる。
【０２１８】
送受信機１２０は、送信／受信要素１２２によって送信されることになる信号を変調し、送信／受信要素１２２によって受信された信号を復調するように構成されることができる。上で言及されたように、ＷＴＲＵ１０２は、マルチモード機能を有することができる。したがって、送受信機１２０は、ＷＴＲＵ１０２が、例えば、ＵＴＲＡおよびＩＥＥＥ８０２．１１など、複数のＲＡＴを介して通信することを可能にするための、複数の送受信機を含むことができる。
【０２１９】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合されることができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などの、ＷＴＲＵ１０２上に物理的に配置されていないメモリから情報を入手することができ、それらにデータを記憶することができる。
【０２２０】
プロセッサ１１８は、電源１３４から電力を受け取ってよく、ＷＴＲＵ１０２内の他の構成要素への電力の分配および／または制御を行うように構成されることができる。電源１３４は、ＷＴＲＵ１０２に給電するための任意の適切なデバイスであることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウム−イオン（Ｌｉ−ｉｏｎ）など）、太陽電池、および燃料電池などを含むことができる。
【０２２１】
プロセッサ１１８は、ＧＰＳチップセット１３６に結合されることができ、ＧＰＳチップセット１３６は、ＷＴＲＵ１０２の現在ロケーションに関するロケーション情報（例えば、経度および緯度）を提供するように構成されることができる。ＧＰＳチップセット１３６からの情報に加えて、またはその代わりに、ＷＴＲＵ１０２は、基地局（例えば、基地局１１４ａ、１１４ｂ）からエアインターフェース１１６上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定方法を用いて、ロケーション情報を獲得することができることが理解されるべきである。
【０２２２】
プロセッサ１１８は、他の周辺機器１３８にさらに結合されることができ、他の周辺機器１３８は、追加的な特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【０２２３】
上では特徴および要素が特定の組み合わせまたは順序で説明されることがあったが、各特徴または要素は、単独で使用されることができ、または他の特徴および要素との任意の組み合わせで使用されることができることを当業者は理解されよう。加えて、本明細書で説明された方法は、コンピュータまたはプロセッサによって実行される、コンピュータ可読媒体内に含まれた、コンピュータプログラム、ソフトウェア、またはファームウェアで実行されてよい。コンピュータ可読媒体の例は、（有線または無線接続上で送信される）電子信号、およびコンピュータ可読記憶媒体を含む。コンピュータ可読記憶媒体の例は、限定されることなく、リードオンリメモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含む。ＷＴＲＵ、ＵＥ、端末、基地局、ＲＮＣ、または任意のホストコンピュータにおいて使用するための無線周波数送受信機を実行するために、ソフトウェアと連携するプロセッサが、使用されることができる。
【図１】
2019527514.tif 000009
【図２】
2019527514.tif 000010
【図３】
2019527514.tif 000011
【図４】
2019527514.tif 000012
【図５】
2019527514.tif 000013
【図６】
2019527514.tif 000014
【図７】
2019527514.tif 000015
【図８】
2019527514.tif 000016
【図９】
2019527514.tif 000017
【図１０】
2019527514.tif 000018
【図１１】
2019527514.tif 000019
【図１２Ａ】
2019527514.tif 000020
【図１２Ｂ】
2019527514.tif 000021
【図１３】
2019527514.tif 000022
【図１４】
2019527514.tif 000023
【図１５Ａ】
2019527514.tif 000024
【図１５Ｂ】
2019527514.tif 000025
【図１６】
2019527514.tif 000026
【図１７】
2019527514.tif 000027
【図１８】
2019527514.tif 000028
【図１９】
2019527514.tif 000029
【図２０】
2019527514.tif 000030
【図２１】
2019527514.tif 000031
【図２２】
2019527514.tif 000032
【図２３】
2019527514.tif 000033
【図２４】
2019527514.tif 000034
【図２５】
2019527514.tif 000035
【図２６】
2019527514.tif 000036
【図２７】
2019527514.tif 000037
【図２８】
2019527514.tif 000038
【図２９】
2019527514.tif 000039
【図３０】
2019527514.tif 000040
【図３１】
2019527514.tif 000041
【図３２】
2019527514.tif 000042
【図３３】
2019527514.tif 000043
【図３４】
2019527514.tif 000044
【図３５】
2019527514.tif 000045
【図３６】
2019527514.tif 000046
【図３７Ａ】
2019527514.tif 000047
【図３７Ｂ】
2019527514.tif 000048
【図３７Ｃ】
2019527514.tif 000049
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
偏波ビームフォーミングトレーニングのために構成された局（ＳＴＡ）であって、
プロセッサと、
偏波ビームフォーミングトレーニングインジケーションを含むトレーニング要求フレームをイニシエータＳＴＡから受信するように構成された受信機回路と、
前記インジケーションに基づいて複数のトレーニングフレームを前記イニシエータＳＴＡから受信するように構成された前記受信機回路であって、前記複数のトレーニングフレームは、第１の偏波に関連付けられたトレーニングフレームの第１のセット、および、第２の偏波に関連付けられたトレーニングフレームの第２のセットを含んでいる、前記受信機回路と、
トレーニングフレームの前記第１のセットおよびトレーニングフレームの前記第２のセットに基づいてフィードバックを前記イニシエータＳＴＡに送信するように構成された送信機回路と
を備えたことを特徴とするＳＴＡ。
【請求項２】
前記トレーニングフレームは、エンハンスド指向性マルチギガビット（ＥＤＭＧ）制御フレームを含むことを特徴とする請求項１に記載のＳＴＡ。
【請求項３】
前記トレーニングフレームは、トレーニングするための偏波の数を示すことを特徴とする請求項１に記載のＳＴＡ。
【請求項４】
前記送信機回路は、前記トレーニング要求フレームの受信を肯定応答している応答フレームを前記イニシエータＳＴＡに送信するように構成されることを特徴とする請求項１に記載のＳＴＡ。
【請求項５】
トレーニングフレームの前記第１のセットは、前記第１の偏波を用いて偏波されたアンテナビームによって送信され、およびトレーニングフレームの前記第２のセットは、前記第２の偏波を用いて偏波されたアンテナビームによって送信されることを特徴とする請求項１に記載のＳＴＡ。
【請求項６】
前記トレーニングフレームは、管理フレームを含むことを特徴とする請求項１に記載のＳＴＡ。
【請求項７】
前記トレーニングフレームは、ビーコンフレームを含むことを特徴とする請求項１に記載のＳＴＡ。
【請求項８】
偏波ビームフォーミングトレーニングのために構成された局（ＳＴＡ）であって、
プロセッサと、
偏波ビームフォーミングトレーニングインジケーションを含むトレーニング要求フレームをレスポンダＳＴＡに送信するように構成された送信機回路と、
前記トレーニング要求フレームの後、複数のトレーニングフレームを前記レスポンダＳＴＡに送信するように構成された前記送信機回路であって、前記複数のトレーニングフレームは、第１の偏波に関連付けられたトレーニングフレームの第１のセット、および、第２の偏波に関連付けられたトレーニングフレームの第２のセットを含んでいる、前記送信機回路と、
トレーニングフレームの前記第１のセットおよびトレーニングフレームの前記第２のセットに基づいてフィードバックを前記レスポンダＳＴＡから受信するように構成された受信機回路と
を備えたことを特徴とするＳＴＡ。
【請求項９】
前記トレーニングフレームは、エンハンスド指向性マルチギガビット（ＥＤＭＧ）制御フレームを含むことを特徴とする請求項８に記載のＳＴＡ。
【請求項１０】
前記トレーニングフレームは、トレーニングするための偏波の数を示すことを特徴とする請求項８に記載のＳＴＡ。
【請求項１１】
前記受信機回路は、前記トレーニング要求フレームの受信を肯定応答している応答フレームを前記レスポンダＳＴＡから受信するように構成されることを特徴とする請求項８に記載のＳＴＡ。
【請求項１２】
トレーニングフレームの前記第１のセットは、前記第１の偏波を用いて偏波されたアンテナビームによって受信され、およびトレーニングフレームの前記第２のセットは、前記第２の偏波を用いて偏波されたアンテナビームによって受信されることを特徴とする請求項８に記載のＳＴＡ。
【請求項１３】
前記トレーニングフレームは、管理フレームを含むことを特徴とする請求項８に記載のＳＴＡ。
【請求項１４】
前記トレーニングフレームは、ビーコンフレームを含むことを特徴とする請求項８に記載のＳＴＡ。
【請求項１５】
局（ＳＴＡ）において実行される、偏波ビームフォーミングトレーニングのための方法であって、
偏波ビームフォーミングトレーニングインジケーションを含むトレーニング要求フレームをイニシエータＳＴＡから前記ＳＴＡの受信機回路によって受信するステップと、
前記インジケーションに基づいて複数のトレーニングフレームを前記イニシエータＳＴＡから前記受信機回路によって受信するステップであって、前記複数のトレーニングフレームは、第１の偏波に関連付けられたトレーニングフレームの第１のセット、および、第２の偏波に関連付けられたトレーニングフレームの第２のセットを含んでいる、ステップと、
トレーニングフレームの前記第１のセットおよびトレーニングフレームの前記第２のセットに基づいてフィードバックを前記イニシエータＳＴＡに前記ＳＴＡの送信機回路によって送信するステップと
を備えたことを特徴とする方法。
【請求項１６】
前記トレーニングフレームは、エンハンスド指向性マルチギガビット（ＥＤＭＧ）制御フレームを含むことを特徴とする請求項１５に記載の方法。
【請求項１７】
前記トレーニングフレームは、トレーニングするための多数の偏波を示すことを特徴とする請求項１５に記載の方法。
【請求項１８】
前記送信機回路は、前記トレーニング要求フレームの受信を肯定応答している応答フレームを前記イニシエータＳＴＡに送信するように構成されることを特徴とする請求項１５に記載の方法。
【請求項１９】
トレーニングフレームの前記第１のセットは、前記第１の偏波を用いて偏波されたアンテナビームによって送信され、およびトレーニングフレームの前記第２のセットは、前記第２の偏波を用いて偏波されたアンテナビームによって送信されることを特徴とする請求項１５に記載の方法。
【請求項２０】
前記トレーニングフレームは、管理フレームを含むことを特徴とする請求項１５に記載の方法。
【国際調査報告】
2019527514.tif 000050
2019527514.tif 000051